(57)【要約】      （修正有）【課題】サイズ調節が可能であり、かつ、製造が簡単でコストを抑えることができ、また、収納・保管のための空間スペースを削減でき、更に、装着の快適性を向上し、取扱性にも優れること。【解決手段】互いに長手方向を一致させた複数の帯状部材１０ａ，１０ｂ，１０ｃで形成された頭頂保護部１０に対し、その帯状部材の長手方向の両端側に前方保護部２０及び後方保護部３０が曲折自在に接続している。また、前方保護部２０に取付けた面ファスナ４１ａＲ，４１ａＬと後方保護部３０に取付けた面ファスナ４１ｂとによって、前方保護部２０及び後方保護部３０が接合及び分離自在で、かつ、その接合位置が調節自在である。そして、前方保護部２０及び後方保護部３０を面ファスナで接合して立体的組立状態とし、接合した前方保護部２０及び後方保護部３０と、帯状部材の間に開口が形成されている。【選択図】図１
2018178272.tif 000002
【特許請求の範囲】
【請求項１】
互いに長手方向を一致させた複数の帯状部材で形成され、装着対象の頭部の頭頂部側を保護する頭頂保護部と、
前記頭頂保護部を形成する複数の帯状部材の長手方向の一端側に曲折自在に接続し、前記頭部の前方側を保護する前方保護部と、
前記頭頂保護部を形成する複数の帯状部材の長手方向の他端側に曲折自在に接続し、前記頭部の後方側を保護する後方保護部と、
前記前方保護部及び／または前記後方保護部に形成され、前記頭頂保護部を形成する複数の帯状部材の長手方向に対して直角方向に配設した左右の側部と、
前記前方保護部及び前記後方保護部に取付けられ、前記前方保護部及び前記後方保護部を接合及び分離自在とし、かつ、前記前方保護部と前記後方保護部の接合位置を調節自在とする接合具とを具備し、
前記前方保護部及び前記後方保護部を前記接合具で接合して立体的組立状態とし、前記接合した前記前方保護部及び前記後方保護部と、前記頭頂保護部を形成する複数の帯状部材の間に開口が形成されることを特徴とする頭部保護具。
【請求項２】
前記頭頂保護部、前記前方保護部及び前記後方保護部は、弾性に富む芯材を入れた緩衝材を外装生地で被覆してなることを特徴とする請求項１に記載の頭部保護具。
【請求項３】
前記外装生地は、空気の出入りを許容するメッシュ状繊維で形成されていることを特徴とする請求項２に記載の頭部保護具。
【請求項４】
前記前方保護部と前記後方保護部は、前記前方保護部の長さ方向の両端側及び前記後方保護部の長さ方向の両端側が前記接合具によって接合及び分離自在であることを特徴とする請求項１乃至請求項３の何れか１つに記載の頭部保護具。
【請求項５】
前記前方保護部及び前記後方保護部は、前記頭頂保護部の帯状部材の長手方向に対して直角な方向に延び、前記前方保護部と前記頭頂保護部とはＴ字状に一体に接続され、また、前記後方保護部と前記頭頂保護部もＴ字状に一体に接続されていることを特徴とする請求項４に記載の頭部保護具。
【発明の詳細な説明】
【技術分野】
【０００１】
本発明は、転倒等による頭部の損傷を防止するために人体の頭部に装着して頭部を保護する頭部保護具に関するもので、特に、個人の症例や成長等に合わせてサイズ調節ができ、かつ、製作を簡単にした頭部保護具に関するものである。
【背景技術】
【０００２】
癲癇（てんかん）等の病気や身体に障害のある小児は転倒によって頭部を損傷する恐れがあることから、頭部を保護するために緩衝機能を高めた保護帽（ヘッドギア、ヘッドガード、プロテクタとも呼ばれる）を装着している。従来、この種の保護帽では、頭部を適切に保護するため個人の症例に合わせたオーダーメイドでのサイズ販売が主流であるから、頭部に被せるために所定寸法の空間を有する帽子状（ヘルメット状）に成形した状態での販売であった。
【０００３】
このため、小児の頭部の成長に伴い、保護帽のサイズが合わなくなると新たに買い替える必要があり、また、個人の症例により頭部の形状が変化し易い場合には複数サイズを用意しておく必要があり、金額的な負担が大きかった。特に、この種の保護帽はオーダーメイド注文であるから高額であり、洗い替え用に複数の所持を望んでも、金銭面を考える必要があった。
そして、所定寸法の帽子状（ヘルメット状）に成形されているから、例えば、学校で各自ロッカー等で保管する場合でも、収納保管のために広い空間スペースを要した。
【０００４】
加えて、例えば、特許文献１で開示されているように、従来、トップクラウン側（頭部の頭頂部側に対応させる部位）を十字状に形成した保護帽が知られており、このような保護帽の製造では、一般的に緩衝材を生地で包み込む縫製が行われる。しかし、トップクラウン側の形状が十字状であり、また、サイドクラウン側（頭部の周囲に対応させる部位）も環状に一体に形成するから、その縫製が複雑である。しかも、十字状に形成したトップクラウン側と頭部の周囲を覆う環状に形成したサイドクラウン側とを別途に作成したのち、両パーツを立体的に組立てる縫製が必要である。このため、それら縫製作業に手間を要し、製造コストも高くついた。
【０００５】
ここで、特許文献２には、サイズ調節を可能とする保護帽として、額を含む前頭部を覆う前頭部材と、後頭部を覆う後頭部材が前後連結されて一体化された本体と、それに接続される鍔部と、顎紐部とから構成され、前頭部材、後頭部材のそれぞれの部材には、開口する複数の切込みにより区画された翼状の左右の係止翼が形成されて、着用者の頭部の形状寸法に合わせて係止翼を対向する前頭部材および／あるいは後頭部材または対向する係止翼のそれぞれと調整可能に結合され、保護部材の重複部分形成と共に前後左右の切込みによる複数の開口部分が形成されている保護帽が開示されている。
【先行技術文献】
【特許文献】
【０００６】
【特許文献１】特開２００４−５２２０５号公報
【特許文献２】特開２００６−１２４８７５号公報
【発明の概要】
【発明が解決しようとする課題】
【０００７】
しかしながら、特許文献２に開示の保護帽では、前頭部材、後頭部材のそれぞれの部材に、開口する複数の切込みにより区画された翼状の左右の係止翼を形成し、図２及び図４でも示されているように前後左右４箇所で係止翼が重複して係合する構造である。このため、図１や図３でも示されているように保護帽の展開した形状は入り組んで複雑であり、やはり緩衝材や布の裁断作業及び緩衝材を布で包み込む縫製及び各パーツを接続する縫製作業に手間や労力を要する。特に、特許文献２の図２及び図４で示された保護帽では、４箇所で係止翼を平面ファスナの係合により重複させるから、平面ファスナの取付作業にも手間がかかるうえ、材料コストもかかる。このため、製造コストが廉価とならず、安価な製品の提供が困難である。
【０００８】
また、癲癇等の病気や身体に障害のある小児等にとって頭部を保護するための保護帽は日常的に長時間装着されることから、蒸れが生じやすいという問題があった。特に、夏場には暑さや蒸れによる汗から痒みが生じたり、場合によっては汗疹等の皮膚炎が生じたり、また、暑さや蒸れによる不快感から装着を嫌うこともあったりし、通気性の高い製品の要望が強い。
ところが、特許文献２に開示された保護帽では、４箇所で係止翼を重複させており重複領域が多いことから通気性に劣り、部分的に汗もかきやすくなる。特に、前頭部材、後頭部材のそれぞれの部材において開口する複数の切込みにより区画された翼状の左右の係止翼を形成し、前後左右の切込による複数の開口を形成する構造では、開口も前後または左右方向で部分的に区画されているから、空気の流れも生じ難い。
【０００９】
更に、４箇所の係合があるから、係合操作及びその解除操作が面倒で煩雑でもある。殊に、特許文献２の図４で示された保護帽では、圧迫力が掛かり易い頭頂部側で平面ファスナを係合させるものであり、しかも、平面ファスナを取付けた頭頂部側ではクロス形状であることで、周囲の物や自分の手との引掛りが生じやすい。このため、装着者の動きによっては係合が外れやすくなり、取扱性にも劣る。
【００１０】
そこで、本発明は、かかる不具合を解決するためになされたもので、サイズ調節が可能であり、かつ、製造が簡単で製造コストを抑えることができ、また、収納・保管のための空間スペースを削減でき、更に、装着の快適性を向上し、取扱性にも優れた頭部保護具の提供を目的とするものである。
【課題を解決するための手段】
【００１１】
請求項１の発明の頭部保護具は、互いに長手方向を一致させた複数の帯状部材からなる頭頂保護部に対し、その帯状部材の長手方向の両端に前方保護部及び後方保護部が曲折自在に接続しており、前記前方保護部及び前記後方保護部に取付けた接合具によって、前記前方保護部及び前記後方保護部が接合及び分離自在であり、かつ、その接合位置が調節自在であるものである。そして、前記前方保護部及び前記後方保護部を前記接合具で接合することで立体的に組立てられ、前記接合した前記前方保護部及び前記後方保護部と、前記頭頂保護部を形成する複数の帯状部材の間に開口が形成されるものである。
【００１２】
上記頭頂保護部は、装着対象である頭部の頭頂部側に対応して、頭部の頭頂部側を覆うものであり帽子のトップクラウンに相当する部位である。この頭頂保護部は、互いに長手方向を一致させた複数の帯状部材で形成され、帯状部材同士が互いに長手方向を一致させて分列しているものである。
ここで、上記互いに長手方向を一致とは、帯状部材の長さ方向の端縁の向きを統一することまでを要求するものではなく、長辺の方向を同一としていればよい。また、帯状部材の長さ方向の端縁が並列的であってもよいし、重複していてもよい。
【００１３】
上記前方保護部は、前記複数の帯状部材の長手方向の一端側に曲折自在に接続し、前記頭部の前方側を保護するものである。この前方保護部は、前記複数の帯状部材の全てにその長手方向の一端側で接続し、前記複数の帯状部材を統一する長さ以上に形成され、少なくとも頭部の前頭部側に対応される。そして、上記複数の帯状部材の長手方向の一端側に曲折自在に接続とは、複数の帯状部材で形成されている頭頂保護部の面方向と前方保護部の面方向とでなす角度が０〜１８０度に変化自在であることを意味する。
【００１４】
また、上記後方保護部は、前記複数の帯状部材の長手方向において前記前方保護部側とは反対側の他端側に曲折自在に接続し、前記頭部の後方側を保護するものである。この後方保護部も、前記複数の帯状部材の全てにその長手方向の他端側で接続し、前記複数の帯状部材を統一する長さ以上に形成され、少なくとも頭部の後頭部側に対応される。そして、上記複数の帯状部材の長手方向の他端側に曲折自在に接続とは、複数の帯状部材で形成されている頭頂保護部の面方向と後方保護部の面方向とでなす角度が０〜１８０度に変化自在であることを意味する。
なお、上記頭部の前方側、後方側とは前後で等分した領域を示すものではなく、前後の相対的関係を示したものである。
【００１５】
これら前方保護部及び／または後方保護部には、前記複数の帯状部材の長手方向に対して直角方向に配設した左右の側部が形成されているものである。この左右の側部は、前記頭部の右側頭部側及び左側頭部側に対応させる部位であり、前方保護部側及び／または後方保護部側に形成されるが、必ずしも左右の側部が前方保護部側及び／または後方保護部側で左右両側に対称的に設ける必要はない。即ち、左右の側部の両方を前方保護部側または後方保護部側に設けることに限定されず、前方保護部側に左右の側部の一方を設け、後方保護部側に左右の側部の他方を設けてもよい。
これら前方保護部及び後方保護部は、頭部の水平周囲（頭囲）に対応して、頭部の水平周囲を覆うものであり帽子のサイドクラウンに相当する部位である。
【００１６】
上記接合具としては、前記前方保護部及び前記後方保護部を接合して接合自在とし、かつ、前記前方保護部と前記後方保護部の接合位置を調節自在とするものであればよく、例えば、面ファスナ、ドット釦、ホック、ボタン及びループ、バックル等が使用できる。なお、前方保護部と後方保護部の接合位置の調節は、接合具を複数設けて接合位置を任意の選択として段階的な調節としてもよいし、例えば、面ファスナのように１つの大きな面積で接合位置を任意の選択として無段階で調節できるようにしてもよい。この前方保護部と後方保護部の接合位置の調節は、少なくとも頭部の頭囲の長さに対応して、前方保護部と後方保護部が環状に連続する長さを調節自在であればよく、即ち、前方保護部と後方保護部で囲まれる内径のサイズを調節自在であればよい。更に好ましくは、頭部に被せる深さをも調節自在とするものである。なお、上記前方保護部及び前記後方保護部を環状に連続とは、前記前方保護部及び前記後方保護部が連続して頭部の水平周囲（頭囲）に対応することを意味し、前記前方保護部及び前記後方保護部により形成される環状が正確に円形状であることまでを特定するものではない。
【００１７】
また、上記立体的な組立状態は、前記前方保護部及び前記後方保護部を前記接合具で接合することで、前記頭頂保護部の帯状部材の長手方向の両端側に曲折自在に接続した前記前方保護部及び前記後方保護部が前記頭頂保護部の帯状部材の長手方向に対して垂直方向に位置し、頭頂保護部、前方保護部及び後方保護部によって囲まれる頭部に被せる空間を形成し、立体形状に組立てられることを示す。
【００１８】
更に、上記頭頂保護部と前記前方保護部及び前記後方保護部との間の開口は、前記帯状部材の長さ方向に対して直角な幅方向の前記頭頂保護部の左右両側で、前記頭頂保護部の帯状部材と前記前方保護部及び前記後方保護部との間に形成される２つの開口であり、前記帯状部材の長さ方向に延びている。
【００１９】
請求項２の発明の頭部保護具は、前記頭頂保護部、前記前方保護部及び前記後方保護部が、弾性を有する芯材を備えた緩衝材を外装生地で被覆してなるものである。
上記芯材としては、外力が加わったときに、その外力を反発する弾性を有していればよく、例えば、硬質なウレタン、ポリオレフィン系発泡体等を使用できる。
また、上記緩衝材としては、頭部への衝撃を緩和できるクッション材であればよく、例えば、軟質なウレタン、ポリオレフィン系発泡体、木綿、ポリエステル製等の合成綿、羊毛綿、麻綿、毛等の綿状体、スポンジ等が使用される。好ましくは、表裏に貫通する開口、または、表裏に連通する空間を有し、通気性があるものである。
更に、上記外装生地としては、メッシュ状繊維で形成された通気性を有するものが好ましく、更には、吸水性・吸湿性を持たせたものがより好ましい。多少の弾性を持たせたものも好ましい。
なお、芯材と緩衝材とを区別することなく、芯材の反発特性と緩衝材の緩衝機能の両方を持った素材の使用であってもよい。
【００２０】
請求項３の発明の頭部保護具の前記外装生地は、空気の出入りを許容するメッシュ状繊維で形成されているものである。
ここで、上記メッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。好ましくは、頭部に触れる内面側及びその反対にある外面側の表裏で使用されるが、どちらか一方のみの使用であってもよい。
【００２１】
請求項４の発明の頭部保護具の前記前方保護部と前記後方保護部は、前記前方保護部の長さ方向の両端側及び前記後方保護部の長さ方向の両端側が前記接合具によって接合及び分離自在であるものであり、２箇所で前記前方保護部の長さ方向の一端側及び前記後方保護部の長さ方向の一端側の接合と、前記前方保護部の長さ方向の他端側及び前記後方保護部の長さ方向の他端側の接合との２箇所で前記接合具による接合が行われるものである。
【００２２】
請求項５の発明の頭部保護具の前記前方保護部及び前記後方保護部は、前記頭頂保護部の帯状部材の長さ方向に対して直角な方向に延び、前記前方保護部と前記頭頂保護部とはＴ字状に一体に接続され、また、前記後方保護部と前記頭頂保護部もＴ字状に一体に接続されているものである。
【発明の効果】
【００２３】
請求項１の発明に係る頭部保護具によれば、互いに長手方向を一致させた複数の帯状部材で形成された頭頂保護部に対し、その帯状部材の長手方向の一端側に、前頭保護部が曲折自在に接続し、また、帯状部材の長手方向の他端端に、後方保護部が曲折自在に接続し、前方保護部側及び／または後方保護部側には複数の帯状部材の長手方向に対して直角方向に配設する左右の側部が形成されている。そして、前記前方保護部及び前記後方保護部は、それらに取付けた接合具によって接合及び分離自在で、かつ、その接合位置が調節自在であり、前記接合具で前記前方保護部及び前記後方保護部を接合すると、人体の頭部に被せる立体的な組立状態になる。この立体的な組立状態では、前記接合した前記前方保護部及び前記後方保護部と、前記頭頂保護部を形成する複数の帯状部材との間に開口が形成されている。
【００２４】
ここで、頭頂保護部は、互いに長手方向を一致させた複数の帯状部材で形成されており、複数の帯状部材の長手方向の両端側で前方保護部及後方保護部が接続し、複数の帯状部材の長手方向に対して直角な幅方向では、帯状部材が前方保護部及び後方保護部とも結合していない。このため、接合具で接合した状態の前方保護部及び後方保護部と頭頂保護部との間の開口は、帯状部材の長さ方向に延びている。よって、その開口は、頭部保護具の装着時において頭部の前方側から頭頂部側を通って後方側までの広領域に亘って連続的な形成であり、場合によっては、頭部の前方側から後方側に向かう連続的な開口により空気の流れを生じさせることができる。
また、頭頂保護部が互いに長手方向を一致させて分列した複数の帯状部材で形成されているから、複数の帯状部材の長手方向に直角な幅方向で互いに結合していない複数の帯状部材間に形成される開口も帯状部材の長さ方向に延びることになり、その開口も、頭部保護具の装着時において頭部の前方側から頭頂部側を通って後方側までの広領域に亘って連続的な形成であり、場合によっては、頭部の前方側から後方側に向かう連続的な開口により空気の流れを生じさせることができる。
そして、このように帯状部材の長さ方向に延びる開口が、複数の帯状部材の長手方向に対して直角な幅方向の両側の２箇所、複数の帯状部材相互間、と頭部の広範囲に分布する。よって、頭部全体の熱や湿気を効果的に逃がすことができる。
【００２５】
更に、接合具による接合箇所も前方保護部及び後方保護部の２箇所以下の接続であるから、前方保護部及び後方保護部の厚みの重複による通気性低下の影響も少なくできる。
更にまた、頭部の前方側から後方側に向かう連続的な開口であるから、頭部の形状に応じて頭頂保護部を形成する複数の帯状部材の間隔が変化自在であり、頭部の形状に追従するフィット性が得られる。
このような通気性及びフィット性の向上により装着の快適さを向上できる。
【００２６】
また、頭部の水平周囲に対応させる前方保護部及び後方保護部を接合するその接合位置が接合具によって調節自在であるから、頭部の寸法に応じて頭部に被せるサイズ、即ち、複数の帯状部材から形成される頭頂保護部、その帯状部材の長手方向に対して垂直方向に位置する接合された前方保護部及び後方保護部によって囲まれる空間サイズの調節が可能である。
【００２７】
更に、頭頂保護部を介して離間した配置の前方保護部及び後方保護部を接続するのみであるから、接続操作及びその解除操作の箇所も少なく取扱い易い。そして、頭部の水平周囲側に対応させる前方保護部及び後方保護部にて接合具による接合が行われるから、高い圧迫力が掛かり易い頭部の頭頂部側での接続と比べてその接合も外れにくい。
【００２８】
そして、本発明に係る頭部保護具は、頭頂保護部を形成する帯状部材の長手方向の両端側に、前方保護部及び後方保護部が曲折自在に接続され、この前方保護部側及び／または後方保護部側に複数の帯状部材の長手方向に対して直角方向に配設する左右の側部が形成されており、そして、前方保護部及び後方保護部をそれらに取付けた接合具で接合して立体的な組立状態とするものである。即ち、頭頂保護部と、左右の側部が形成されている前方保護部、後方保護部との平面的な展開構成から立体的な組立状態とするものあり、頭頂保護部と、左右の側部が形成されている前方保護部、後方保護部との平面的な成形であるから、縫製作業も容易にできる。特に、頭部の頭頂部側に対応させる頭頂保護部を介して離間した配置の前方保護部及び後方保護部を接合具で接合自在とするものであり、接合箇所も前方保護部及び後方保護部のみの接続であり、接合の構成及び接続関係がシンプルで、形状も単調にできる。よって、緩衝材や布の裁断作業、緩衝材を布で包み込む縫製作業、各パーツを接続する縫製作業が簡単である。更に、接合具の材料コストも節減でき、接合具を縫製等によって取付ける作業も短時間で簡単に済む。よって、製造が簡単であり、コストも廉価になる。
【００２９】
加えて、立体的な組立状態から、前方保護部及び後方保護部に取付けられている接合具の接合を解除することで平面的に展開自在あるから、保管・収納の空間スペースを削減することができる。
【００３０】
このようにして、サイズ調節が可能であり、かつ、製造が簡単でコストを抑えることができ、また、収納・保管のための空間スペースを削減でき、更に、装着の快適性を向上し、取扱性にも優れた頭部保護具となる。
【００３１】
請求項２の発明に係る頭部保護具によれば、前記頭頂保護部、前記前方保護部及び前記後方保護部が、弾性に富む芯材を入れた緩衝材を外装生地で被覆してなるものであり、前記頭頂保護部、前記前方保護部及び前記後方保護部で弾性に富む芯材を入れた緩衝材が配設するから、請求項１に記載の効果に加えて、人体の頭部を全体的に保護できる。また、前記頭頂保護部、前記前方保護部、前記後方保護部の部位によって芯材や緩衝材の厚み、弾性（緩衝性）、硬さ等を任意に選択することで、または、緩衝材を被覆する外装生地の素材、種類等を任意に選択することで、衝撃吸収力や通気性を部位によって調節できる。特に、弾性に富む芯材の反発によって衝撃を緩和できる。
【００３２】
請求項３の発明に係る頭部保護具によれば、前記外装生地は、空気の出入りを許容するメッシュ状繊維で形成されているから、通気性が向上し、蒸れや暑さを軽減できる。よって、請求項１または請求項２に記載の効果に加えて、装着時の快適さの向上を可能とする。
【００３３】
請求項４の発明に係る頭部保護具によれば、前記前方保護部と前記後方保護部は、前記前方保護部の長さ方向の両端側及び前記後方保護部の長さ方向の両端側が前記接合具によって接合及び分離自在である。したがって、前記前方保護部と前記後方保護部が連続するカーブのラインがないから、人為的誤差が介在しにくい縫製が可能であり、特に、緩衝材や芯材の緩衝性、弾性が高くても、即ち、厚みや硬さで可撓性が低くても、平面的な成形に歪みが生じ難い。よって、請求項１乃至請求項３の何れか１つに記載の効果に加えて、縫製作業がより簡単であり、歪みの少ない仕上がり精度が高いものとなる。
【００３４】
請求項５の発明に係る頭部保護具によれば、前記前方保護部及び前記後方保護部は、前記頭頂保護部の帯状部材の長さ方向に対して直角な方向に延び、前記前方保護部と前記頭頂保護部とはＴ字状に一体に接続され、また、前記後方保護部と前記頭頂保護部もＴ字状に一体に接続されているから、請求項４に記載の効果に加えて、前記前方保護部及び前記後方保護部のシルエットに方向転換のカーブラインが存在せず、直線的なラインであるから、縫製が極めて容易にできる。
【図面の簡単な説明】
【００３５】
【図１】図１は本発明の実施の形態１に係る頭部保護具を展開状態で示した表面図である。
【図２】図２は本発明の実施の形態１に係る頭部保護具を展開状態で示した裏面図である。
【図３】図３は本発明の実施の形態１に係る頭部保護具を組立状態で示した正面図である。
【図４】図４は本発明の実施の形態１に係る頭部保護具を組立状態で示した背面図である。
【図５】図５は本発明の実施の形態１に係る頭部保護具を組立状態で示した平面図である。
【図６】図６は本発明の実施の形態１に係る頭部保護具を組立状態で示した底面図（ａ）、頭部保護部を構成する前方保護部と後方保護部の接続位置を変えて（左右の側頭保護部の間隔を変えて）接合状態を示す底面図（ｂ）である。
【図７】図７は本発明の実施の形態１に係る頭部保護具を組立状態で示した左側面図（ａ）及び右側面図（ｂ）である。
【図８】図８は本発明の実施の形態１に係る頭部保護具を組立状態で示した斜視図である。
【図９】図９は本発明の実施の形態１に係る頭部保護具を人体の頭部に装着したときの正面図（ａ）及び斜視図（ｂ）である。
【図１０】図１０は本発明の実施の形態１に係る頭部保護具を形成する緩衝材及び外装生地の一例を説明する図で、（ａ）は断面図、（ｂ）は本発明の実施の形態１に係る頭部保護具を形成する緩衝材及び外装生地の別の例を説明する断面図、（ｃ）は緩衝材に芯材を埋設した別の例を説明する断面図、（ｄ）は緩衝材の一例を示す斜視図、（ｅ）は緩衝材の別の例を示す斜視図である。
【図１１】図１１は本発明の実施の形態１の変形例に係る頭部保護具を展開状態で示した表面図である。
【図１２】図１２は本発明の実施の形態１の変形例に係る頭部保護具を組立状態で示した左側面図（ａ）及び右側面図（ｂ）である。
【図１３】図１３は本発明の実施の形態２に係る頭部保護具を展開状態で示した表面図である。
【図１４】図１４は本発明の実施の形態２に係る頭部保護具を組立状態で示した左側面図（ａ）及び右側面図（ｂ）である。
【図１５】図１５は本発明の実施の形態３に係る頭部保護具を展開状態で示した表面図である。
【図１６】図１６は本発明の実施の形態３に係る頭部保護具を組立状態で示した左側面図（ａ）及び右側面図（ｂ）である。
【発明を実施するための形態】
【００３６】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３７】
［実施の形態１］
まず、本発明の実施の形態１に係る頭部保護具１の構成について、その展開状態を示した図１及び図２を参照して説明する。
図１及び図２に示すように、本実施の形態１に係る頭部保護具１は、帯状部材１０ａ，１０ｂ，１０ｃからなる頭頂保護部１０と、頭頂保護部１０を形成する帯状部材１０ａ，１０ｂ，１０ｃの長手方向の一端側に、帯状部材１０ａ，１０ｂ，１０ｃの長手方向に対して略直角方向に配設する前方保護部２０と、頭頂保護部１０を形成する帯状部材１０ａ，１０ｂ，１０ｃの長手方向の他端側に、帯状部材１０ａ，１０ｂ，１０ｃの長手方向に対して略直角方向に配設する後方保護部３０と、前方保護部２０の長手方向の両側に形成されて前方保護部２０を構成し、帯状部材１０ａ，１０ｂ，１０ｃの長手方向に対して略直角方向に配設する左右の側部としての側頭保護部２２Ｒ，２２Ｌと、前方保護部２０及び後方保護部３０を接合自在とする接合具として、前方保護部２０の裏面（Ｂ）側であってその長手方向の両端側に取付けられた面ファスナ４１ａＲ，４１ａＬ及び後方保護部３０の表面（Ｆ）側に取付けられた面ファスナ４１ｂとを有する。
【００３８】
本実施の形態１の頭頂保護部１０は、長尺状に形成された３本の帯状部材１０ａ，１０ｂ，１０ｃによって構成し、それら３本の帯状部材１０ａ，１０ｂ，１０ｃの長手方向を一致させた配置としている。そして、３本の帯状部材１０ａ，１０ｂ，１０ｃは、それらの長さ方向に直角な幅方向で互いに結合することなく、分列している。
【００３９】
ここで、頭頂保護部１０を構成する帯状部材１０ａ，１０ｂ，１０ｃは、緩衝材Ａとそれを包む外装生地Ｂとによって形成されている。
各帯状部材１０ａ，１０ｂ，１０ｃは、例えば、図１０（ａ）に示すように、縫合線ｓにて袋状に閉じた一枚の布からなる外装生地Ｂに緩衝材Ａが入れられて形成される。勿論、例えば、図１０（ｂ）に示すように、２枚の布によって、或いは、３枚以上の布によって袋状を形成し、そこに緩衝材Ａを挿入しても良い。
【００４０】
緩衝材Ａとしては、頭部への衝撃を緩和できるクッション材であればよく、例えば、（ポリ）ウレタンフォーム、（ポリ）オレフィンフォーム等の緩衝機能が高いものが使用される。好ましくは、図１０（ｄ）に示すように、緩衝材Ａが編目状に形成されて強度を確保しつつ、三角形状の孔Ｐを有するものや、図１０（ｅ）に示すように、緩衝材Ａに任意形状の孔Ｐを所定間隔で設けたものである。このように厚み方向の表裏に貫通する孔Ｐを有することで、孔Ｐによって空気の出入りを許容するから、通気性を確保できる。
また、例えば、東洋紡株式会社から商品名「ブレスエアー（登録商標）」、株式会社シーエンジから「Ｃ−ＣＯＲＥ」、株式会社エアウィーヴから商品名「エアウィーヴ（登録商標）」、東レ・デュポン株式会社から「ハイトレル（登録商標）等として販売されている立体網状構造体、具体的には、樹脂からなる連続線条体が不規則に蛇行して絡み合っており、かつ、蛇行した状態で随所に接着してなり、連続線条体間の空間が連続して所定の厚みを有する立体網状構造体を緩衝材Ａに用いることでも、通気性を確保できる。
なお、薄厚と緩衝性との両立や、強度、緩衝性と通気性との両立のために、硬さや反発特性の異なる２種以上の緩衝材Ａを組み合わせて用いることも可能である。
【００４１】
緩衝材Ａを包み込む外装生地Ｂには、例えば、ポリエステル、綿、再生繊維等の生地を使用することで軽量化を図り、かつ、通気性を確保することができる。また、繰り返しの洗濯でも型崩れや損傷が生じ難く、洗濯によって清潔さ、衛生さを保つことができる。
特に、所定の開口の網目・網模様の構造を有するメッシュ（ネット）生地や、多少織目を粗くした粗密度の生地や、表裏のメッシュ生地間に通気性のある特定の厚みの空気層を形成する連結糸を織り込んでなる特定の厚みを有する立体編物（ダブルラッシェル）等のメッシュ状繊維からなる外装生地Ｂの使用により、高い通気性が確保され頭部の湿気や熱が放散されやすくなる。
【００４２】
中でも、立体編物（ダブルラッシェル）によれば、表裏のメッシュ生地間に織り込まれた連結糸によって形成される空気層により頭部保護具１を装着する者（以下、単に『装着者』という）の汗等の湿気や熱の発生に対しても、その湿気や熱を収容できる容積を有しており、更に、頭部の動きが空気層の体積変化となって、空気層の空気が排出及び供給されるから、汗を速やかに吸収でき、また、熱を逃すことができる。勿論、表裏のメッシュ生地及び空気層により通気性、通水性にも優れるから、水分の乾きも速い。更に、連結糸によって形成される空気層により多少の弾力性（クッション性）等を有し、衝撃を吸収する緩衝機能を発揮する。また、装着者の頭部の形状への馴染みもよい。
なお、このような立体編物（ダブルラッシェル）はダブルラッシェル機やトリコット機等の織布製造機によって製造され、その商品は、旭化成株式会社から「フュージョン（商標名）」、また、帝人興産から「エアクィーン（商標名）」等として販売されているので、ここでは仔細な説明を省略する。
【００４３】
そして、図１及び図２に示すように、このような緩衝材Ａ及びそれを包む外装生地Ｂから形成されている帯状部材１０ａ，１０ｂ，１０ｃの長手方向の一端部には、それらの一端部と略Ｔ字状に一体に接続した前方保護部２０が配設し、また、帯状部材１０ａ，１０ｂ，１０ｃの長手方向の他端部には、それらの他端部と略Ｔ字状に一体に接続した後方保護部３０が配設している。
また、図１０（ｃ）に示すように、緩衝材Ａの中心には硬質のウレタン、ポリオリフィン系等の弾性に富んだ板状の芯材Ｃを埋設し、外力が加わったとき、当該板状の芯材Ｃとの間で衝撃を吸収することができる。この場合には、単位面積当たりの衝撃力を緩衝できる。
【００４４】
ここで、帯状部材１０ａ，１０ｂ，１０ｃからなる頭頂保護部１０と前方保護部２０は、縫製によって縫合わされており、両者間は、頭頂保護部１０の面方向に対して直角方向に折り曲げ、湾曲自在となっている。即ち、帯状部材１０ａ，１０ｂ，１０ｃの長手方向の一端側で、前方保護部２０が頭頂保護部１０とその面方向を同一に延設した位置から、帯状部材１０ａ，１０ｂ，１０ｃの長手方向に対して垂直方向の位置、そして、面方向を重ね合わせる１８０度の位置まで変位可能に曲折自在に接続している。
また、帯状部材１０ａ，１０ｂ，１０ｃからなる頭頂保護部１０と後方保護部３０と関係も、縫製によって縫合わされ、両者間は、頭頂保護部１０の面方向に対して直角方向に折り曲げ、湾曲自在となっている。即ち、後方保護部３０が頭頂保護部１０とその面方向を同一に延設した位置から、帯状部材１０ａ，１０ｂ，１０ｃの長手方向に対して垂直方向の位置、そして、面方向を重ね合わせる１８０度の位置まで変位可能に曲折自在に接続している。
【００４５】
なお、本実施の形態１では、頭頂保護部１０を形成する帯状部材１０ａ，１０ｂ，１０ｃが前方保護部２０に接続する一端側において、中央に位置する帯状部材１０ｂに対して、その両側に位置する帯状部材１０ａ、帯状部材１０ｂが先端側の一部分で重なり合う状態で前方保護部２０に縫製によって縫合わされている（図１、図２、図３及び図５参照）。しかも、中央に位置する帯状部材１０ｂでは、その長手方向に対して略直角方向で前方保護部２０と縫合わされているのに対し、帯状部材１０ｂの左右両側の帯状部材１０ａ及び帯状部材１０ｃでは、それらの長さ方向に対して斜め方向で前方保護部２０と縫合わされている。
また、頭頂保護部１０を形成する帯状部材１０ａ，１０ｂ，１０ｃが後方保護部３０に接続する他端側においては、中央に位置する帯状部材１０ｂに対しその両側に位置する左右の帯状部材１０ａ、帯状部材１０ｃが重なり合うことなく隣接しまたは離れて配置し、それらの長手方向に対して略直角方向で後方保護部３０と縫合わされている。
【００４６】
このような構成により、図３及び図５に示す頭部保護具１の立体的な組立状態で、図３に示すように正面側（前方）みると、中央に位置する帯状部材１０ｂに対してその両側の帯状部材１０ａ及び帯状部材１０ｃが左右に離間する方向に鋭角状に拡がり、また、図５に示すように上側からみると頭頂保護部１０が流線形を表象するデザインとなり、意匠的効果を独特なものとしている。
特に、従来では、人体の頭頂部側に対応させるトップクラウン側が十字状に交差した形状であるから、頭部に装着した際に頭頂部の形状によってトップクラウンが尖軸状の意匠に強調されやすく、即ち、頭頂部側を交差させるからそのボリュームで頭頂部側の天井が強調されやすく、見た目にバランスの悪さを感じることがある。これに対し、本実施の形態１では、頭頂保護部１０を形成する帯状部材１０ａ，１０ｂ，１０ｃの長手方向を統一させた配置であることで、頭部に装着した際でも頭頂部側が強調され難く、デザイン性に優れる。
【００４７】
勿論、本発明を実施する場合には、頭頂保護部１０を形成する帯状部材１０ａ，１０ｂ，１０ｃの配置は、それらの長手方向を一致させた配置であれば、上記に限定されるものではなく、前方保護部２０と後方方保護部３０の間で帯状部材１０ａ，１０ｂ，１０ｃが所定間隔で並行に配置するようにしてもよいし、後方方保護部３０側との接続においても帯状部材１０ａ，１０ｂ，１０ｃの一部を重複させるように接続してもよい。
【００４８】
そして、帯状部材１０ａ，１０ｂ，１０ｃの長手方向の一端側に接続する本実施の形態１の前方保護部２０は、帯状部材１０ａ，１０ｂ，１０ｃの長手方向に対して略直角な方向に延びている。
本実施の形態１の前方保護部２０は、頭部の前頭部側に対応させる前頭保護部２１と、頭部の右側頭部側及び左側頭部側に対応させる左右の側部としての右側頭保護部２２Ｒ及び左側頭保護部２２Ｌ（以下、右側頭保護部２２Ｒ，左側頭保護部２２Ｌを格別区別する必要のない場合には、単に、『側頭保護部２２Ｒ，２２Ｌ』と記す）とを連続的に形成してなるものであり、頭部の前頭部側並びに右側頭部側及び左側頭部側に対応させる長さを有する。
【００４９】
前頭保護部２１は、略一定の幅で直線状に形成されており、その幅方向の一端側には帯状部材１０ａ，１０ｂ，１０ｃが接続され、反対側の幅方向の他端側には鍔部２３が接続されている。
また、この前頭保護部２１の幅方向に対して略直角な方向で左右両側に延びる右側頭保護部２２Ｒ及び左側頭保護部２２Ｌは、人体の耳を覆うことのないようにその耳の曲線形状に対応する湾曲形状を有する。
【００５０】
本実施の形態１の前方保護部２０も、緩衝材Ａとそれを包む外装生地Ｂとによって形成されており、例えば、図１０（ｂ）に示すように、２枚の表生地Ｂ１及び裏生地Ｂ２を縫合線ｓでの縫合わせによって袋状とした外装生地Ｂ１，Ｂ２によって緩衝材Ａが包まれて形成される。緩衝材Ａや外装生地Ｂの素材、構成、特性等は、頭頂保護部１０と同一であってもよいし、相異していてもよい。勿論、表生地Ｂ１と裏生地Ｂ２も互いに同一の素材、構成、特性等であっても良いし、相異していてもよい。
【００５１】
なお、本実施の形態１では、前方保護部２０を構成する緩衝材Ａが湾曲可能な程度に適度な柔軟性を有し、前頭保護部２１と左右の側頭保護部２２Ｒ，２２Ｌとを区別することなく連続した１本の緩衝材Ａ及びそれを覆う外装生地Ｂによって形成している。しかし、本発明を実施する場合には、前頭保護部２１と左右の側頭保護部２２Ｒ，２２Ｌとの間で緩衝材Ａを連続させずに区切ってもよいし、緩衝材Ａに切込みを入れることで屈曲しやすくしてもよい。
【００５２】
また、本実施の形態１では、前方保護部２０において、その幅方向に直角な長さ方向の両端部に、後述する後方保護部３０と接合するためのマジックテープ（登録商標）等の面ファスナ（接着布）４１ａＲ，４１ａＬが取付けられている。詳細には、前方保護部２０の裏面（Ｂ）側（内面側）において、右側頭保護部２２Ｒの一端部側に面ファスナ４１ａＲが縫製によって縫付けられ、また、左側頭保護部２２Ｌの一端部側に面ファスナ４１ａＬが縫製によって縫付けられている。
【００５３】
なお、本実施の形態１では、後方保護部３０に重ねられて接合される前方保護部２０の長さ方向の両端部では、緩衝材Ａを配置しないことで、重複する厚みを減らして、厚みの重複による通気性の低下を防止している。また、重量の軽量化を図り、面ファスによる接合強度を高めている。しかし、本発明を実施する場合には、前方保護部２０の長さ方向の両端部の端縁まで緩衝材Ａを配置する設計としてもよい。
【００５４】
更に、本実施の形態１では、前頭保護部２１に対し、頭頂保護部１０側とは反対側で外方向に延びる略半楕円形状の鍔部２３が接続されている。
この鍔部２３は、例えば、発泡ポリエチレン等の剛性のある芯材を外装生地Ｂで包むことによって形成される。鍔部２３は、前頭保護部２１と面方向を同一に平面的に成形されるも、前頭保護部２１の面方向に対して直角方向に曲折自在に接続しているから、芯材の剛性により、後述するように前方保護部２０と後方保護部３０とを接続して頭部にかぶせる帽子状（ヘルメット状）に立体的に組立てたときに、前頭保護部２１の面方向に対して、その下縁から前方に突出して日除けや顔面の保護として機能する。また、このように前頭保護部２１に対して鍔部２３が曲折自在に形成されていると、例えば、収納・保管時において前頭保護部２１側に鍔部２３を折り畳み可能とし、コンパクト化を図ることができる。なお、鍔部２３は、装着者の視界を妨げない範囲の突出長さとする。
【００５５】
更にまた、本実施の形態１では、左右の側頭保護部２２Ｒ，２２Ｌに対し、装着者の耳の周囲に配設される左右１対の耳紐２４Ｒ，２４Ｌがループ状に接続しており、左右の耳紐２４Ｒ，２４Ｌ間には顎紐２５が架け渡される。この顎紐２５には、マジックテープ（登録商標）等の１対の面ファスナ（接着布）２６ａ，２６ｂ及び１対の面ファスナ（接着布）２６ｃ，２６ｄが所定位置に取付けられている。
これより、顎紐２５の長さ方向の一端側を左右の耳紐２４Ｒ，２４Ｌの一方のループ内に通し、また、顎紐２５の長さ方向の他端側を左右の耳紐２４Ｒ，２４Ｌの他方のループ内に通し、そして、１対の面ファスナ２６ａ，２６ｂの接合及び１対の面ファスナ２６ｃ，２６ｄの接合により１対の耳紐２４Ｒ，２４Ｌに取付けることで、左右の耳紐２４Ｒ，２４Ｌ間に顎紐２５を架け渡して、装着者の顎に掛けることができるようになっている。なお、１対の面ファスナ２６ａ，２６ｂ及び１対の面ファスナ２６ｃ，２６ｄは、顎紐２５の厚みの重ね合わせにより緩衝性を高くできるように、また、紐に余剰部が生じてぶらつくことのないように所定位置に設けられている。
【００５６】
耳紐２４Ｒ，２４Ｌや顎紐２５は、例えば、若干のクッション性を有する外装生地Ｂを筒状にして形成してもよいし、公知のヘルメット等の耳紐や顎紐に使用されているアクリル、ポリプロピレン製のテープ状のものを使用してもよい。また、伸縮性を持たせてもよい。更に、顎紐２５に緩衝性を有する幅広部を形成し、その幅広部で顎を受けて保護できるようにしてもよい。この幅広部は顎紐２５に対して取付自在としてもよいし、顎紐２５と一体化させてもよい。
【００５７】
特に、本実施の形態１では、顎紐２５が面ファスナ２６ａ，２６ｂ，２６ｃ，２６ｄにより耳紐２４Ｒ，２４Ｌに取付け及び取外し自在である。よって、装着者の好み等に応じて顎紐２５を取付けたり取外したりでき、また、新品等との交換も自在であり、使い勝手がよい。
更に、面ファスナ２６ａ，２６ｂ，２６ｃ，２６ｄの幅の分だけ連続的に小刻みに接続位置を調節して、１対の耳紐２４Ｒ，２４Ｌ間を架け渡す顎紐２５の重なりの調節により、顎紐２５が１対の耳紐２４Ｒ，２４Ｌ間を架け渡す長さが調節自在であり、装着者の顎にかける締結力の調節を自在とする。
そして、面ファスナ２６ａ，２６ｂ，２６ｃ，２６ｄであれば、肌が圧迫されることもなく、更に転倒時に顎等が圧迫されて怪我をするようなこともない。
【００５８】
このように、本実施の形態１では、面ファスナ２６ａ，２６ｂ，２６ｃ，２６ｄの使用により、１対の耳紐２４Ｒ，２４Ｌ間への顎紐２５の取付けを自在とし、また、顎紐２５を１対の耳紐２４Ｒ，２４Ｌ間に架け渡す長さの調節を自在としている。しかし、本発明を実施する場合には、１対の耳紐２４Ｒ，２４Ｌに顎紐２５を取付けて架け渡す取付手段や、顎紐２５を１対の耳紐２４Ｒ，２４Ｌ間に架け渡す長さの調節手段は、面ファスナ２６ａ，２６ｂ，２６ｃ，２６ｄに限定されるものではなく、例えば、ドット釦、ホック、ボタン及びボタンホール、スナップボタン、アジャスタ、バックル等を使用してもよい。また、このような取付具、長さ調節具を設けることなく、単に顎紐２５を１対の耳紐２４Ｒ，２４Ｌに結んで取付ける構成としてもよい。
更に、本発明を実施する場合には、耳紐２４Ｒ，２４Ｌを設けることなく、顎紐２５を直接的に左右の側頭保護部２２Ｒ、２２Ｌに取付ける構造としてもよい。
【００５９】
また、頭頂保護部１０を介して前方保護部２０とは反対側に位置し、頭頂保護部１０を形成する帯状部材１０ａ，１０ｂ，１０ｃの長手方向に対して略直角方向に配設する本実施の形態１の後方保護部３０は、頭部の後頭部側に対応させる略楕円形状の後頭部保護部３１から形成されている。
【００６０】
即ち、本実施の形態１では、頭部の右側頭部側及び左側頭部側に対応させる左右の側部としての右側頭保護部２２Ｒ及び左側頭保護部２２Ｌが前方保護部２０側に形成されているから、帯状部材１０ａ，１０ｂ，１０ｃの長手方向に対して略直角方向の後方保護部３０の長さは、前方保護部２０の長さより短い。
【００６１】
本実施の形態１の後方保護部３０も、緩衝材Ａとそれを包む外装生地Ｂとによって形成されており、例えば、図１０（ｂ）に示すように、２枚の表生地Ｂ１及び裏生地Ｂ２が縫合線ｓでの縫合わせによって袋状とされた外装生地Ｂ１，Ｂ２によって緩衝材Ａを包み込んで形成される。緩衝材Ａや外装生地Ｂの素材、構成、特性等は、頭頂保護部１０、前方保護部２０と同一であってもよいし、相異していてもよい。
【００６２】
そして、本実施の形態１では、後方保護部３０において、その表面（Ｆ）側に、前方保護部２０の長さ方向の両端部に設けられた面ファスナ４１ａＲ，４１ａＬに対応する面ファスナ４１ｂが縫製によって縫付けられている。
【００６３】
この面ファスナ４１ｂは、帯状部材１０ａ，１０ｂ，１０ｃの長手方向に対して略直角な方向を左右方向としたときに、後方保護部３０において、その左右方向に長く設けられており、前方保護部２０の長さ方向の両端部に設けた面ファスナ４１ａＲ，４１ａＬとの接続位置が無段階で調節できるようになっている。即ち、帯状部材１０ａ，１０ｂ，１０ｃの長手方向に対して略直角な方向を左右方向としたときに前方保護部２０においてその左右方向の両端部に設けた面ファスナ４１ａＲ，４１ａＬが、後方保護部３０の面ファスナ４１ｂに接合するとき、面ファスナ４１ａＲが取付けられた前方保護部２０の長手方向（左右方向）の一端部と、面ファスナ４１ａＬが取付けられた前方保護部２０の長手方向（左右方向）の他端部との、それら両者の間隔（後方保護部３０の左右方向の間隔）を無段階で調節自在としている。
これより、後述する図６でも示すように、人体の頭部に被せる頭部保護具１の内周（内径）のサイズを無段階で調節、例えば、頭部保護具１の内周（内径）のサイズを６ｃｍ〜１１ｃｍで調節自在とする。
【００６４】
更に、面ファスナ４１ｂは、後方保護部３０の左右方向に対して直角な上下方向にも幅広とし、前方保護部２０の長手方向の両端部に設けた面ファスナ４１Ｒ，４１Ｌも、前方保護部２０の長手方向に対して直角な幅方向に長く設けているから、一対の面ファスナ４１ａＲ，４１ａＬと面ファスナ４１ｂとの接続位置は、後方保護部３０においてその左右方向に直角な上下方向（高さ方向）でも調節自在である。
よって、人体の頭部に被せる深さも無段階で調節、例えば、４ｃｍ〜６ｃｍのサイズ深さで調節自在とする。
【００６５】
つまり、本実施の形態１では、一対の面ファスナ４１ａＲ，４１ａＬと面ファスナ４１ｂの幅及び長さの分だけ接続位置を調節して、頭部保護具１の内周径及び頭部に被せる深さを調節できる。特に、接合具が面ファスナであるから、連続的に小刻みに無段階でサイズを調節できる。
【００６６】
更に、本実施の形態１においては、前方保護部２０の両端縁に、補助接続具として、紐ｔ（図４参照）が通されるループ４３Ｒ，４３Ｌを設けており、ループ４３Ｒ，４３Ｌに１本以上の紐ｔを通し、紐ｔの長さを短く結ぶ締め付けにより、後方保護部３０に接合させた右側頭保護部２２Ｒと左側頭保護部２２Ｌの間隔の固定を可能とする。これにより、後述する前方保護部２０と後方保護部３０の接続関係が容易に解かれないように安全性を高めることができる。なお、紐ｔを結ぶ締め付けにより右側頭保護部２２Ｒと左側頭保護部２２Ｌを連結することに限定されず、ボタン等の係合具に伸縮性のループを掛ける構造や、長さ調節を可能とするアジャスタとバックルを使用した連結構造等であってもよい。
【００６７】
こうして、本実施の形態１の頭部保護具１においては、図１及び図２に示すように、互いに長手方向を一致させて分列した複数の帯状部材１０ａ，１０ｂ，１０ｃからなる頭頂保護部１０に対し、その帯状部材１０ａ，１０ｂ，１０ｃの長手方向の両端に曲折自在に一体に接続しており、前方保護部２０及び後方保護部３０に取付けた接合具としての一対の面ファスナ４１ａＲ，４１ａＬと面ファスナ４１ｂによって、前方保護部２０及び後方保護部３０が接合及び分離自在であり、かつ、その接合位置が調節自在である。
即ち、頭頂保護部１０を形成する帯状部材１０ａ，１０ｂ，１０ｃの長さ方向の一端部側に、その長さ方向に対して略直角方向に延びる前頭保護部２１及び左右の側頭保護部２２Ｒ，２２Ｌからなる前方保護部２０が形成され、また、帯状部材１０ａ，１０ｂ，１０ｃの長さ方向の他端部側に、その長さ方向に対して略直角方向に配設する後方保護部３０が形成されており、これら帯状部材１０ａ，１０ｂ，１０ｃから形成された頭頂保護部１０と、前頭保護部２１及び左右の側頭保護部２２Ｒ，２２Ｌからなる前方保護部２０と、後頭保護部３１からなる後方保護部３０とが、それらの面方向を同一とした平面的な成形となっている。なお、平面的に成形とは、複数の帯状部材１０ａ，１０ｂ，１０ｃで形成されている頭頂保護部１０と、前方保護部２０と、後方保護部３０の面方向が同一に平面的に展開された状態を意味する。
【００６８】
そして、前方保護部２０には、その長さ方向の両端部の裏面（Ｂ）側に面ファスナ４１ａＲ，４１ａＬが取付けられ、後方保護部３０の表面（Ｆ）側には面ファスナ４１ａＲ，４１ａＬに対応する面ファスナ４１ｂが取付けられている。
更に、前頭保護部２１及び左右の側頭保護部２２Ｒ，２２Ｌからなる前方保護部２０と、帯状部材１０ａ，１０ｂ，１０ｃからなる頭頂保護部１０との両者は、それらの面方向が互いに０〜１８０度で折れ曲がり自在となっており、また、後方保護部３０と帯状部材１０ａ，１０ｂ，１０ｃからなる頭頂保護部１０の両者間も、それらの面方向が互いに０〜１８０度で折れ曲がり自在となっている。
【００６９】
したがって、前方保護部２０の長さ方向の両端部と後方保護部３０とを接近させ、前方保護部２０の両端部の裏面（Ｂ）側に取付けた面ファスナ４１ａＲ，４１ａＬと、後方保護部３０の表面（Ｆ）側に取付けた面ファスナ４１ｂとを接合すると、前方保護部２０と後方保護部３０が接続する。
即ち、図４に示すように、前方保護部２０を構成する右側頭保護部２２Ｒの一端部の裏面（Ｂ）側に設けた面ファスナ４１ａＲと、後方保護部３０の表面（Ｆ）側に設けた面ファスナ４１ｂとの接合により、後方保護部３０の左右方向の一方側で前方保護部２０の右側頭保護部２２Ｒと重なり合って接合し、また、前方保護部２０を構成する左側頭保護部２２Ｌの一端部の裏面（Ｂ）側に設けた面ファスナ４１ａＬと、後方保護部３０の表面（Ｆ）側に設けた面ファスナ４１ｂとの接合により、後方保護部３０の左右方向の他方側で前方保護部２０の左側頭保護部２２Ｌと重なり合って接合し、前方保護部２０を構成する右側頭保護部２２Ｒ及び左側頭保護部２２が後方保護部３０に連結することで、図３乃至図９に示すように、前方保護部２０及び後方保護部３０が環状に連続する。
【００７０】
このとき、本実施の形態１では、左右の側頭保護部２２Ｒ，２２Ｌが形成されている前方保護部２０の長さが頭部の前頭部側及び左右の側頭部側に対応する長さ以上に形成されており、そして、左右の側頭保護部２２Ｒ，２２Ｌの一端部側の裏面（Ｂ）側に設けた面ファスナ４１ａＲ，４１ａＬの相手となる面ファスナ４１ｂが後方保護部３０の表面（Ｆ）側（外面側）に設けられているから、図４に示すように、前方保護部２０の長さ方向の両端部は、互いに対向するように内側に曲折されて、後方保護部３０の表面（Ｆ）側と前方保護部２０の長さ方向の両端部の裏面（Ｂ）側が対向して接合される。
【００７１】
特に、本実施の形態１では、前方保護部２０側に側頭保護部２２Ｒ，２２Ｌが形成されており、前方保護部２０の長さが頭部の前頭部側及び左右の側頭部側に対応する長さ以上に形成されているから、頭部の後頭部側に対応させる後頭保護部３１からなる後方保護部３０側に対して、その左右両側に前方保護部２０の長手方向の端部が接続し、前方保護部２０との接合が行われる。よって、頭部の後頭部側で後方保護部３０と前方保護部２０とが重複するから、頭部の後頭部側を重点的に保護したい場合に有利である。
【００７２】
なお、本実施の形態１では、後方保護部３０の表面（Ｆ）側（外面側）に面ファスナ４１ｂが設けられ、また、左右の側頭保護部２２Ｒ，２２Ｌの一端部側の裏面（Ｂ）側に面ファスナ４１ａＲ，４１ａＬが設けられており、左右の側頭保護部２２Ｒ，２２Ｌの一端部側の裏面（Ｂ）側と後方保護部３０の表面（Ｆ）側が対向するように前方保護部２０と後方保護部３０が重なり合い、頭部に接触する頭部保護具１の内面側には、面ファスナが表出しないから、面ファスナに頭部の髪の毛等が付着するようなこともない。
【００７３】
そして、頭頂保護部１０を形成する帯状部材１０ａ，１０ｂ，１０ｃの長手方向の両端側で前方保護部２０及後方保護部３０が曲折自在に接続していることから、図３乃至図８に示すように、頭頂保護部１０を形成する帯状部材１０ａ，１０ｂ，１０ｃの長手方向に対して垂直方向に前方保護部２０及後方保護部３０を位置させると、頭頂保護部１０が頭部の頭頂部側に対応し、また、環状に連続した前方保護部２０及び後方保護部３０がの頭部の水平周囲に対応して、頭部形状に対応する立体形状に組立てられる。
【００７４】
即ち、図３乃至図８に示すように、前方保護部２０の面方向が帯状部材１０ａ，１０ｂ，１０ｃからなる頭頂保護部１０の面方向に対して略垂直な方向に位置し、更に、湾曲可能な程度に柔軟に形成した前方保護部２０の長さ方向がＵ字状に湾曲してその両端側が対向するように内側に曲折され（湾曲され）、頭頂保護部１０の面方向に対して垂直な方向に位置した後方保護部３０に接合することにより、頭頂保護部１０、前方保護部２０及び後方保護部３０で囲まれる空間、即ち、頭頂保護部１０、前方保護部２０及び後方保護部３０によって頭部が入れられる空間を形成し、頭部に被せる帽子状（ヘルメット状）の立体形状に組立てられる。
【００７５】
このようにして組立てられる本実施の形態１の頭部保護具１においては、頭頂保護部１０を形成する３本の帯状部材１０ａ，１０ｂ，１０ｃの長手方向が一致して配置され、それらは長手方向の両端部で前方保護部２０及び後方保護部３０に接続しているも前方保護部２０及び後方保護部３０の間では相互に結合することなく分列していることで、帯状部材１０ａ，１０ｂ，１０ｃの相互間は開口１２となっており、そこで空気の流通が許容される。即ち、図９でも示すように、頭部への装着時には頭部の形状に対応して帯状部材１０ａ，１０ｂ，１０ｃの相互間が大きく離間し、そこが開口１２となっている。
【００７６】
また、本実施の形態１の頭部保護具１においては、中央に位置する帯状部材１０ｂに対して左右に位置する帯状部材１０ａ，１０ｃが、その長手方向の両端部で前方保護部２０の前頭保護部２１及び後方保護部３０の後頭保護部３１に接続し、帯状部材１０ａ，１０ｃの長手方向に対して直角な幅方向では前方保護部２０及び後方保護部３０に接続しておらず、頭部保護具１を立体的に組立てた状態で、頭頂保護部１０の面方向に対して略垂直な方向に位置する前方保護部２０及び後方保護部３０と、帯状部材１０ａ，１０ｂ，１０ｃの長さ方向に対して直角な幅方向の頭頂保護部１０の左右両側との間が開口１３となっている。即ち、帯状部材１０ａ，１０ｃと前方保護部２０及び後方保護部３０との間が開口１３となっており、そこでも空気の流通が許容される。
【００７７】
特に、本実施の形態１の頭頂保護部１０は、それを構成する帯状部材１０ａ，１０ｂ，１０ｃが互いに長手方向を一致させて分列した形成であるから、帯状部材１０ａ，１０ｂ，１０ｃ相互間の開口１２は、帯状部材１０ａ，１０ｂ，１０ｃの長さ方向に延びる連続的な形成である。
また、同様に、帯状部材１０ａ，１０ｃと前方保護部２０及び後方保護部３０との間の開口１３も、帯状部材１０ａ，１０ｂ，１０ｃの長さ方向に延びる連続的な形成である。
【００７８】
よって、本実施の形態１の頭部保護具１においては、帯状部材１０ａ，１０ｂ，１０ｃ相互間に形成される開口１２、並びに、帯状部材１０ａ，１０ｃと前方保護部２０及び後方保護部３０との間に形成される開口１３が、帯状部材１０ａ，１０ｂ，１０ｃの長さ方向に延びて連続的であり、装着時に頭部の前方側から頭頂部側を通って後方側まで連続しているから、場合によっては空気の流れを生じさせることもでき、頭部全体の熱や湿気が効果的に逃げて、熱や湿気がこもり難い。そして、頭部の前方側から頭頂部側を通って後方側に向かう連続的な開口が、帯状部材１０ａと帯状部材１０ｂの間の開口１２及び帯状部材１０ｂと帯状部材１０ｃの間の開口１２、並びに、帯状部材１０ａと前方保護部２０及び後方保護部３０側と間の開口１３及び帯状部材１０ｃと前方保護部２０及び後方保護部３０側と間の開口１３の４箇所に分布し、頭部の広範囲で熱や湿気を効果的に逃げ易くしている。
【００７９】
更に、本実施の形態１の頭部保護具１においては、前方保護部２０の両端部の裏面（Ｂ）側に設けた面ファスナ４１ａＲ，４１ａＬと後方保護部３０の表面（Ｆ）側に設けた面ファスナ４１ｂとの接合で、前方保護部２０及び後方保護部３０が環状に連続的に接続され、前方保護部２０及び後方保護部３０の厚みの重複が２箇所のみであるから、厚みの重複による通気性低下の影響も少ない。
【００８０】
更にまた、本実施の形態１の頭部保護具１においては、このように頭頂保護部１０が互いに長手方向を一致させて分列した複数の帯状部材１０ａ，１０ｂ，１０ｃで形成され、帯状部材１０ａ，１０ｂ，１０ｃがその長手方向で前方保護部２０及び後方保護部３０と接続するのみで、帯状部材１０ａ，１０ｂ，１０ｃの長さ方向に直角な幅方向では、帯状部材１０ａ，１０ｂ，１０ｃ相互間に帯状部材１０ａ，１０ｂ，１０ｃの長手方向に延びる連続的な開口１２が形成され、また、帯状部材１０ａ，１０ｃと前方保護部２０及び後方保護部３０と間に帯状部材１０ａ，１０ｂ，１０ｃの長手方向に延びる連続的な開口１３が形成されているから、それら頭部保護具１の前方側から後方側に向かって連続的に形成された開口１２及び開口１３により、複数の帯状部材１０ａ，１０ｂ，１０ｃの相互間の間隔が変形自在（変化自在）であり、頭部の形状に追従するフィット性が得られる。
【００８１】
このように、本実施の形態１の頭部保護具１においては、帯状部材１０ａ，１０ｂ，１０ｃ相互間で帯状部材１０ａ，１０ｂ，１０ｃの長さ方向に延びる連続的な形成の開口１２と、帯状部材１０ａ，１０ｃと前方保護部２０及び後方保護部３０との間で帯状部材１０ａ，１０ｂ，１０ｃの長さ方向に延びる連続的な形成の開口１３とによって、通気性を高めることができ、また、頭部の形状に対応するフィット性を得ることができる。更に、前方保護部２０及び後方保護部３０の厚みの重複が２箇所のみであるから、厚みの重複による通気性低下の影響も少ない。よって、装着時の快適さを高めることができる。
【００８２】
特に、メッシュ状繊維で形成され軽量なポリエステル、綿等の生地を外装生地Ｂに使用することで、通気性が高くなり、洗濯も可能であるから、衛生さ、清潔さを保つことができる。更に、長時間の装着でも重さを感じることが少なく、装着の重さによる負担も少なくできる。
即ち、従来の保護帽では、衝撃吸収や保護性の重視から丈夫な革素材で形成されていたため、通気性に欠けて蒸れ易かったり、その厚みによって視野を狭く感じたり重さを感じたりすることで煩わしさを感じ、その装着に不快感を示す小児も多かった。また、重厚感やボリュームにより装着時の見た目にもバランスの悪さを感じ保護帽を被っての外出は敬遠されがちであった。
これに対し、本実施の形態１の頭部保護具１においては、前方から後方に向かって連続的形成された開口１２及び開口１３によって、頭部形状に対するフィット性が得られ、軽量でもあるから、図９にも示すように、人体の頭部に対して見た目にバランスされた装着を可能とし、外観性の向上を可能とする。
【００８３】
そして、本実施の形態１の頭部保護具１では、このように前方保護部２０の長手方向の両端部の裏面（Ｂ）側に設けた面ファスナ４１ａＲ，４１ａＬと後方保護部３０の表面（Ｆ）側に設けた面ファスナ４１ｂとの接合で、前方保護部２０及び後方保護部３０を環状に連続的に接続し、頭頂保護部１０を形成する帯状部材１０ａ，１０ｂ，１０ｃの長手方向に対して垂直方向に前方保護部２０及後方保護部３０を位置することで、頭部に被せる立体的な組立状態となるが、前方保護部２０と後方保護部３０の接続において、前方保護部２０の長さ方向に直角な幅方向に長く設けた面ファスナ４１ａＲ，４１ａＬ及び後方保護部３０の長さ方向及び幅方向に広大な面積で設けた面ファスナ４１ｂにより、１対の面ファスナ４１ａＲ，４１ａＬと面ファスナ４１ｂの接続位置の選択を自在としている。即ち、図６において、前方保護部２０を形成する左右の側頭保護部２２Ｒ，２２Ｌの端部を対向させる左右方向の間隔、及び、左右の側頭保護部２２Ｒ，２２Ｌの後方保護部３０に対する上下方向（高さ方向）の接続位置の調節が自在である。
【００８４】
したがって、１対の面ファスナ４１ａＲ，４１ａＬと面ファスナ４１ｂの接合位置の調節により、頭部の寸法に合わせて、頭部保護具１の内径（内周囲）及び頭部に被せる深さが調節自在である。これより、個人の頭部の寸法形状、頭部の成長や症例の変化、髪型、髪のボリューム、好み等に対応して、頭部にフィットさせることができ、快適な装着を可能とする。特に、個人の頭部の症状や成長にも対応させることができ、長期間に亘っての使用を可能とする。即ち、装着者の頭部が成長したときでも、１対の面ファスナ４１ａＲ，４１ａＬと面ファスナ４１ｂの接合位置の調節により頭部保護具１の内径（内周囲）を大きくする等によって、装着者の頭部の寸法形状に対応させることができるから、圧迫して窮屈感や痛みを感じさせることもなく長期に亘って快適に装着できる。故に、買い替えの金銭的負担を減らすこともできる。更に、頭部に被せるその深さの調節により装着者の頭部の形状等に応じて最適なフィット感を得ることができ、見た目にもシルエットバランスのよい装着形態を可能とする。
【００８５】
更に、本実施の形態１の頭部保護具１の製造は、頭頂保護部１０を形成する互いに長手方向を一致させた帯状部材１０ａ，１０ｂ，１０ｃの長さ方向の一端部に、その長さ方向に対して略直角方向に延びる前頭保護部２１及び側頭保護部２２Ｒ，２２Ｌからなる前頭保護部２０を形成し、また、帯状部材１０ａ，１０ｂ，１０ｃの長さ方向の他端部に、その長さ方向に対して略直角方向に配設する後頭保護部３１からなる後方保護部３０を形成し、互いに長手方向を一致させて分列した帯状部材１０ａ，１０ｂ，１０ｃからなる頭頂保護部１０と、前頭保護部２１及び側頭保護部２２Ｒ，２２Ｌからなる前頭保護部２０と、後頭保護部３１からなる後方保護部３０とを平面的に成形するものであるから、その縫製作業も極めて容易である。
【００８６】
特に、頭部の頭頂部側に対応させる頭頂保護部１０を介して離間した配置の前方保護部２０及び後方保護部３０を１対の面ファスナ４１ａＲ，４１ａＬと面ファスナ４１ｂによって接続自在としていることで、接合箇所も前方保護部２０及び後方保護部３０のみの接続であり、接合の構成及び接続関係がシンプルで、形状も単調で縫製も分かり易い。よって、緩衝材Ａや外装生地Ｂの裁断作業や、緩衝材Ａを外装生地Ｂで被覆する縫製作業や、各パーツを接続する縫製作業が簡単である。更に、１対の面ファスナ４１ａＲ，４１ａＬと面ファスナ４１ｂのみの接合であるから、面ファスナの材料コストも節減でき、面ファスナを縫製等によって取付ける作業も短時間で簡単に済む。よって、製造が簡単であり、コストも廉価である。
【００８７】
更に、本実施の形態１の頭部保護具１では、前方保護部２０と後方保護部３０は、帯状部材１０ａ，１０ｂ，１０ｃの長手方向に対して略直角方向の左右両側が、１対の面ファスナ４１ａＲ，４１ａＬと面ファスナ４１ｂによって接合及び分離自在であり、前方保護部２０と後方保護部３０を連続して一体に形成する場合と比較してカーブのラインがないから、縫製が容易であり、人為的誤差が介在しにくい縫製が可能である。特に、緩衝性が高い緩衝材Ａを使用しても、即ち、厚みがあったり硬かったりして可撓性が低い緩衝材Ａであっても、平面的な成形による歪みが生じ難い。よって、縫製作業がより簡単であり、歪みの少ない仕上がり精度が高いものとなる。
【００８８】
更にまた、本実施の形態１の頭部保護具１では、前方保護部２０と頭頂保護部１０とが略Ｔ字状に一体に接続され、また、後方保護部３０と頭頂保護部１０も略Ｔ字状に一体に接続されているから、前方保護部２０及び後方保護部３０のシルエットに方向転換のカーブラインが存在せず、直線的なラインの縫製であるから、極めて容易に縫製できる。
【００８９】
加えて、本実施の形態１の頭部保護具１は、このように１対の面ファスナ４１ａＲ，４１ａＬと面ファスナ４１ｂの接合、及び、頭頂保護部１０を形成する帯状部材１０ａ，１０ｂ，１０ｃの長手方向に対して垂直方向に前方保護部２０及び後方保護部３０を位置することにより、頭部に被せる形状に立体的に組立てるものであり、頭部保護具１を使用しないときには、１対の面ファスナ４１ａＲ，４１ａＬと面ファスナ４１ｂの接合を解いて平面的に展開できるから、収納・保管の際の空間スペースを節約できる。特に、頭頂保護部１０を形成する帯状部材１０ａ，１０ｂ，１０ｃと前方保護部２０及び後方保護部３０とは、互いに面方向が直角方向に曲折自在に接続されているから、それらを曲折げてコンパクトに畳むことも可能である。
【００９０】
このように、本実施の形態１の頭部保護具１は、互いに長手方向を一致させた複数の帯状部材１０ａ，１０ｂ，１０ｃで形成され、装着対象である頭部の頭頂部側を保護する頭頂保護部１０と、頭頂保護部１０を形成する複数の帯状部材１０ａ，１０ｂ，１０ｃの長手方向の一端側に曲折自在に接続し、頭部の前方側を保護する前方保護部２０と、頭頂保護部１０を形成する複数の帯状部材１０ａ，１０ｂ，１０ｃの長手方向の他端側に曲折自在に接続し、頭部の後方側を保護する後方保護部３０と、前方保護部２０に形成され、頭頂保護部１０を形成する複数の帯状部材１０ａ，１０ｂ，１０ｃの長手方向に対して直角方向に配設する左右の側部としての側頭保護部２２Ｒ，２２Ｌと、複数の帯状部材１０ａ，１０ｂ，１０ｃの長手方向の両端側で曲折自在に接続した前方保護部２０及び後方保護部３０に取付けられ、前方保護部２０及び後方保護部３０を接合及び分離自在とし、かつ、前方保護部２０と後方保護部３０の接合位置を調節自在とする接合具としての１対の面ファスナ４１ａＲ，４１ａＬ及び面ファスナ４１ｂとを具備し、前方保護部２０及び後方保護部３０を１対の面ファスナ４１ａＲ，４１ａＬと面ファスナ４１ｂで接合して立体的組立状態とし、接合した前方保護部２０及び後方保護部３０と、頭頂保護部１０を形成する複数の帯状部材１０ａ，１０ｂ，１０ｃの間に開口１３が形成されているものである。
【００９１】
こうして、本実施の形態１の頭部保護具１は、互いに長手方向を一致させて分列する複数の帯状部材１０ａ，１０ｂ，１０ｃで形成された頭頂保護部１０に対し、その帯状部材１０ａ，１０ｂ，１０ｃの長手方向の一端側に前方保護部２０が接続し、反対側の他端側に後方保護部３０が接続しており、前方保護部２０には複数の帯状部材１０ａ，１０ｂ，１０ｃの長手方向に対して略直角方向に配設する側頭保護部２２Ｒ，２２Ｌが形成されている。また、頭頂保護部１０と、左右の側頭保護部２２Ｒ，２２Ｌが形成されている前方保護部２０と、後方保護部３０とは面方向を同一として平面的に成形されている。即ち、平面的に展開自在である。
そして、各前方保護部２０、後方保護部３０は、帯状部材１０ａ，１０ｂ，１０ｃの長手方向の一端側で曲折自在な接続であり、また、左右の側頭保護部２２Ｒ，２２Ｌが形成された前方保護部２０の長手方向の両端部に取付けた面ファスナ４１ａＲ，４１ａＬと後方保護部３０に取付けた面ファスナ４１ｂとによって、前方保護部２０及び後方保護部３０が環状に接合及び分離自在で、かつ、その接合位置が調節自在である。
【００９２】
よって、左右の側頭保護部２２Ｒ，２２Ｌが形成されて帯状部材１０ａ，１０ｂ，１０ｃの長手方向に対して直角方向に延びる前方保護部２０の長手方向の各端部と、後方保護部３０とを重ね、前方保護部２０の長さ方向の各端部の裏面（Ｂ）側に取付けた面ファスナ４１ａＲ，４１ａＬと後方保護部３０の表面（Ｆ）側に取付けた面ファスナ４１ｂを接合して、左右の側頭保護部２２Ｒ，２２Ｌが形成されている前方保護部２０と後方保護部３０とを接合すると、頭頂保護部１０の帯状部材１０ａ，１０ｂ，１０ｃの長手方向に対して垂直方向に前方保護部２０及び後方保護部３０を位置し人体の頭部に被せる立体的な組立状態になる。
【００９３】
即ち、頭頂保護部１０が、所謂、帽子のトップクラウン側に相当して頭部の頭頂部側に対応し、左右の側頭保護部２２Ｒ，２２Ｌが形成されている前方保護部２０及び後方保護部３０が、所謂、帽子のサイドクラウン側に相当し頭部の水平周囲（頭囲）側に対応する。
【００９４】
ここで、本実施の形態１の頭部保護具１によれば、１対の面ファスナ４１ａＲ，４１ａＬと面ファスナ４１ｂによって、頭部の水平周囲（頭囲）側に対応する前方保護部２０及び後方保護部３０の接合位置が調節自在であるから、頭部の寸法形状に応じて頭部に被せるサイズ、即ち、複数の帯状部材１０ａ，１０ｂ，１０ｃから形成される頭頂保護部１０と、その帯状部材１０ａ，１０ｂ，１０ｃの長手方向に対して垂直方向に位置させた前方保護部２０及び後方保護部３０とによって囲まれる空間サイズの調節が可能である。
【００９５】
また、本実施の形態１の頭部保護具１は、このように頭頂保護部１０を形成する複数の帯状部材１０ａ，１０ｂ，１０ｃの長手方向の両端に、前方保護部２０及び後方保護部３０を配設し、頭頂保護部１０を介して離間した配置の前方保護部２０及び後方保護部３０を１対の面ファスナ４１ａＲ，４１ａＬと面ファスナ４１ｂによって接合自在とする構成である。そして、頭頂部側に対応させる頭頂保護部１０は、互いに長手方向を一致させて分列した複数の帯状部材１０ａ，１０ｂ，１０ｃで形成されており、帯状部材１０ａ，１０ｂ，１０ｃの長手方向の両端部で前方保護部２０及び後方保護部３０と一体に接続しているも、帯状部材１０ａ，１０ｂ，１０ｃの長手方向に対して直角な幅方向では、帯状部材１０ａ，１０ｂ，１０ｃが互い結合しておらず、また、前方保護部２０及び後方保護部３０とも結合しておらず、立体的な組立状態で、帯状部材１０ａ，１０ｂ，１０ｃの相互間に開口１２が形成され、更に、帯状部材１０ａ，１０ｃと前方保護部２０及び後方保護部３０と間にも開口１３が形成されている。
【００９６】
このように帯状部材１０ａ，１０ｂ，１０ｃの長手方向に対して直角な幅方向の両側に形成されている開口１２及び開口１３は、帯状部材１０ａ，１０ｂ，１０ｃの長手方向に延び連続的であるから、そのような開口１２及び開口１３によって、頭部保護具１の装着時には頭部がその前頭部側から頭頂部側を通って後頭部側に向かう一続きで外気に触れることになる。即ち、部分的でなく頭部の前方側から後方側に向かう広領域に亘って連続的に開口し、場合によっては、頭部の前方側から後方側に向かう領域に対応する連続的な開口１２及び開口１３により空気の流れを生じさせることができるから、頭部の熱や湿気を効果的に逃がすことができる。また、帯状部材１０ａ，１０ｂ，１０ｃの長手方向に連続的に延びる開口１２，１３が、帯状部材１０ａ，１０ｂ，１０ｃの相互間、並びに、帯状部材１０ａ，１０ｂ，１０ｃと前方保護部２０及び後方保護部３０との間に分布しているから、頭部の広範囲で熱や湿気を効果的に逃げ易くしている。
【００９７】
更に、１対の面ファスナ４１ａＲ，４１ａＬと面ファスナ４１ｂの接合も後方保護部３０の左右両側で前方保護部２０の長さ方向の両端部と接合するのみであるから、前方保護部２０及び後方保護部３０の厚みの重複による通気性低下の影響も少ない。
更にまた、帯状部材１０ａ，１０ｂ，１０ｃの長手方向に連続的に延びる開口１２，１３により、頭部の形状に応じて頭頂保護部１０を形成する複数の帯状部材１０ａ，１０ｂ，１０ｃの間隔が変形自在（変化自在）であり、頭部の形状に追従するフィット性が得られ、頭部の形状への馴染みがよい。
よって、通気性及びフィット性の向上により装着の快適さを向上させることができる。
【００９８】
そして、本実施の形態１の頭部保護具１は、頭頂保護部１０を形成する帯状部材１０ａ，１０ｂ，１０ｃの長手方向の両端に、前方保護部２０及び後方保護部３０を曲折自在に接続し、また、前方保護部２０に帯状部材１０ａ，１０ｂ，１０ｃの長手方向に対して直角方向に配設する左右の側頭保護部２２Ｒ，２２Ｌを形成し、前方保護部２０及び後方保護部３０に１対の面ファスナ４１ａＲ，４１ａＬと面ファスナ４１ｂを取付け、前方保護部２０及び後方保護部３０を１対の面ファスナ４１ａＲ，４１ａＬと面ファスナ４１ｂで接合して立体的組立状態とするものであり、平面的な展開状態及び立体的組立状態に自在に形成したものであるから、平面的な成形により縫製作業も容易である。
【００９９】
特に、頭部の頭頂部側に対応させる頭頂保護部１０を介して離間した配置の前方保護部２０及び後方保護部３０を１対の面ファスナ４１ａＲ，４１ａＬと面ファスナ４１ｂによって接続自在としていることで、接合箇所も前方保護部２０及び後方保護部３０のみの接続であり、接合の構成及び接続関係がシンプルであり、形状も単調である。よって、緩衝材Ａや外装生地Ｂの裁断作業、緩衝材Ａを外装生地Ｂで包み込む縫製、各パーツを接続する縫製作業が簡単である。更に、面ファスナの数も少なく、材料コストも節減でき及び面ファスナを縫製等によって取付ける作業も短時間で簡単に済む。
よって、製造が簡単であり、コストも廉価になり、安価な製品の提供を可能とする。
【０１００】
なお、１対の面ファスナ４１ａＲ，４１ａＬと面ファスナ４１ｂＬの取付位置は上記説明と表裏を逆にしてもよいし、複数に分けて段階的に接続位置を調節する形態としても良い。しかし、上記実施の形態１のように頭部保護具１の外面側で、１対の面ファスナ４１ａＲ，４１ａＬと面ファスナ４１ｂＬを接合する形態では、面ファスナにより頭部を圧迫したり、違和感を生じさせたりすることもなく、頭部保護具１の頭部への装着時において、面ファスナに髪が付着することもない。また、上記実施の形態１のように面ファスナの個数が３つであるとその取付作業も容易である。
【０１０１】
更に、本実施の形態１の頭部保護具１によれば、前方保護部２０と後方保護部３０は、帯状部材１０ａ，１０ｂ，１０ｃの長手方向に対して直角方向の左右両側が、１対の面ファスナ４１ａＲ，４１ａＬと面ファスナ４１ｂによって接合及び分離自在であり、前方保護部２０と後方保護部３０が連続して一体に形成するカーブのラインもないから、人為的誤差が介在しにくい縫製が可能である。特に、緩衝性が高い緩衝材Ａを使用しても、即ち、厚みがあったり硬かったりして可撓性が低くても、平面的な成形による歪みが生じ難い。よって、縫製作業がより簡単であり、歪みの少ない仕上がり精度が高いものとなる。
【０１０２】
更にまた、本実施の形態１の頭部保護具１によれば、前方保護部２０と頭頂保護部１０とが略Ｔ字状に一体に接続され、また、後方保護部３０と頭頂保護部１０も略Ｔ字状に一体に接続されているから、前方保護部２０及び後方保護部３０のシルエットに方向転換のカーブラインが存在せず、直線的なラインであるから、縫製が極めて容易にできる。
【０１０３】
そして、本実施の形態１の頭部保護具１によれば、接合箇所も頭部の水平周囲（頭囲）側に対応する前方保護部２０及び後方保護部３０のみの接続であるから、接合操作及びその解除操作の箇所も少ない。そして、頭部の水平周囲（頭囲）側に対応する前方保護部２０及び後方保護部３０において１対の面ファスナ４１ａＲ，４１ａＬと面ファスナ４１ｂによる接続が行われるから、高い圧迫力が掛かり易い頭頂部側での接続と比べてその結合も外れにくい。よって、取扱性にも優れる。
【０１０４】
加えて、頭頂保護部１０、前方保護部２０及び後方保護部３０は平面的な成形であり、前方保護部２０及び後方保護部３０の１対の面ファスナ４１ａＲ，４１ａＬと面ファスナ４１ｂの接合を解除することで平面的に展開自在であり、即ち、立体的な組立状態を平面的に展開できるから、保管・収納の空間スペースを削減することができる。特に、頭頂保護部１０を形成する帯状部材１０ａ，１０ｂ，１０ｃと前方保護部２０及び後方保護部３０とは、互いに面方向が０〜１８０度に曲折自在に接続されているから、それらを曲折してコンパクトに畳むことも可能である。
【０１０５】
このようにして、本実施の形態１の頭部保護具１によれば、サイズ調節が可能であり、かつ、製造が簡単でコストを抑えることができ、また、収納・保管のための空間スペースを削減でき、更に、装着の快適性を向上し、取扱性にも優れる。
【０１０６】
また、本実施の形態１の頭部保護具１によれば、頭頂保護部１０、前方保護部２０及び後方保護部３０が、弾性に富む芯材Ｃを入れた緩衝材Ａを外装生地Ｂで被覆して形成されているから、頭頂保護部１０、前方保護部２０及び後方保護部３０に芯材Ｃを入れた緩衝材Ａが配設されていることで頭部を全体的に保護できる。また、頭頂保護部１０、前方保護部２０、後方保護部３０の各部位によって芯材Ｃを入れた緩衝材Ａの厚み、弾性（緩衝性）、硬さ等を任意に選択することで、または、芯材Ｃを入れた緩衝材Ａを被覆する外装生地Ｂの素材、種類等を任意に選択することで、衝撃吸収力や通気性を部位によって調節でき、頭部に対応させる特定の部位で衝撃吸収性を高めることもできる。
【０１０７】
そして、本実施の形態１の頭部保護具１において、外装生地Ｂをメッシュ状繊維で形成すると、頭部に触れる頭頂保護部１０、前方保護部２０及び後方保護部３０の通気性が向上し、頭部からの湿気や熱が逃れやすくなり、蒸れや暑さを軽減できる。更に、外装生地Ｂに包まれた緩衝材Ａにおいても表裏に貫通する孔Ｐが形成されていると空気の流通が許容され、頭部からの湿気や熱がより逃れやすくなり蒸れや暑さを軽減できる。また、頭部保護具１の軽量化を図ることができる。よって、装着の快適さをより向上させることができる。
【０１０８】
更に、本実施の形態１の頭部保護具１によれば、前方保護部２０の頭頂保護部１０への接続側とは反対側で外方向に突出し、前方保護部２０の面方向に対して直角方向に曲折自在に接続した鍔部２３を有するから、日除け効果があるばかりでなく、見た目にも、通常のファッション、防暑（日除け）、制帽等として使用されている鍔を有する帽子と類似するファッション性を有する。
【０１０９】
加えて、本実施の形態１の頭部保護具１によれば、前方保護部２０に形成した左右の側頭保護部２２Ｒ，２２Ｌに環状に一体に接続され、耳の周りに配設させる左右の耳紐２４Ｒ，２４Ｌと、左右の耳紐２４Ｒ，２４Ｌ間に架け渡す顎紐２５とを有するから、両耳を前方保護部２０に形成した左右の側頭保護部２２Ｒ，２２Ｌが覆うことはない。即ち、音の聞き取りに支障がでることはない。また、耳紐２４Ｒ，２４Ｌ間に架け渡す顎紐２５を人体の顔の顎に掛けることで、頭部から外れ難くできる。
【０１１０】
しかし、本発明を実施する場合には、顎紐２５、耳紐２４Ｒ，２４Ｌ、鍔部２３を適宜省略してもよい。例えば、図１１及び図１２に示すように、耳紐２４Ｒ，２４Ｌを省略し、前方保護部２０に形成した左右の側頭保護部２２Ｒ，２２Ｌが両耳を覆って保護できる形態としてもよい。
【０１１１】
図１１及び図１２に示す変形例に係る頭部保護具１では、前方保護部２０側に形成され頭部の側頭部側に対応する左右の側頭保護部２２Ｒ，２２Ｌが幅広に形成され、両耳を覆う大きさに設計されている。即ち、変形例に係る頭部保護具１においては、頭頂保護部１０を形成する帯状部材１０ａ，１０ｂ，１０ｃの長手方向に対して直角方向に延びる前方保護部２０の長手方向の両端側が、その長手方向に対して直角な幅方向で頭頂保護部１０側とは反対方向で幅広に延び、前方保護部２０が略コ字状に形成されている。
【０１１２】
そして、変形例に係る頭部保護具１においても、頭頂保護部１０を形成する帯状部材１０ａ，１０ｂ，１０ｃの長手方向に対して直角方向に延びる前方保護部２０の長手方向の両端部の裏面側に、接合具としての面ファスナ４１ａＲ，４１ａＬが取付けられている。なお、図１１においては、各面ファスナ４１ａＲ，４１ａＬは、前方保護部２０の長手方向に対して直角な幅方向に長く設けているが、所定間隔で複数個を設けてもよい。
【０１１３】
更に、変形例に係る頭部保護具１では、顎紐２５を左右の側頭保護部２２Ｒ，２２Ｌに取付けるための小径な左右のリング２７Ｒ，２７Ｌが、左右の側頭保護部２２Ｒ，２２Ｌの幅方向の一端側（頭頂保護部１０側とは反対側であって、頭部に装着した際に下方側となる位置）に取付けられている。顎紐２５には、上記実施の形態１ときと同様、マジックテープ（登録商標）等の１対の面ファスナ（接着布）２６ａ，２６ｂ及び１対の面ファスナ（接着布）２６ｃ，２６ｄが所定位置に取付けられている。よって、変形例においても、顎紐２５の長さ方向の一端側を左右のリング２７Ｒ，２７Ｌの一方のループ内に通し、また、顎紐２５の長さ方向の他端側を左右の２７Ｒ，２７Ｌの他方のループ内に通し、そして、１対の面ファスナ２６ａ，２６ｂの接合及び１対の面ファスナ２６ｃ，２６ｄの接合により左右のリング２７Ｒ，２７Ｌに取付けることで、左右のリング２７Ｒ，２７Ｌ間に顎紐２５を架け渡して、装着者の顎に掛けることができるようになっている。
【０１１４】
また、変形例に係る頭部保護具１では、左右の側頭保護部２２Ｒ，２２Ｌの幅広な形成に対応して、後部保護部３０を形成する後頭保護部３１においても幅広に形成され、後頭部側もより広い範囲の保護を可能としている。そして、後頭保護部３１の表面（Ｆ）側にも、左右の側頭保護部２２Ｒ，２２Ｌに設けた面ファスナ４１ａＲ，４１ａＬに対応する面ファスナ４１ｂが取付られている。図１１において、面ファスナ４１ｂは、後頭保護部３１の上下及び左右方向の広い面積で設けているが、帯状部材１０ａ，１０ｂ，１０ｃの長手方向に対して直角な左右方向の両側で複数個設けるようにしてもよいし、左右方向に直角な上下方向に所定間隔で複数個設けるようにしてもよい。
【０１１５】
このような構成の変形例に係る頭部保護具１では、人体の頭部に深く被せ、顔面側を除いて頭部全体をすっぽりと深く覆って、より広い範囲で頭部全体を保護できる。なお、後頭保護部３１の大きさ寸法は上記実施の形態１と同様とし、左右の側頭保護部２２Ｒ，２２Ｌで部分的に幅広として両耳を覆うようにしてもよい。
【０１１６】
［実施の形態２］
次に、本実施の形態２に係る頭部保護具について、図１３及び図１４を参照して説明する。
本実施の形態２では、帯状部材１０ａ，１０ｂ，１０ｃからなる頭頂保護部１０の構成は上記実施の形態１と同じであるが、前方保護部２０及び後方保護部の構成が上記実施の形態１と相違する。具体的には、上記実施の形態１では、頭部の右側頭部側及び左側頭部側に対応させる左右の側頭保護部２２Ｒ，２２Ｌを前方保護部２０側に形成したのに対し、本実施の形態２では、頭部の右側頭部側及び左側頭部側に対応させる左右の側頭保護部２２Ｒ，２２Ｌを後方保護部３０側に形成した点で相違する。ここでは、相違する点のみ説明する。
【０１１７】
図１３及び図１４に示したように、本実施の形態２に係る頭部保護具１００では、頭部の左右の側頭部側に対応させる左右の側頭保護部２２Ｒ，２２Ｌを後方保護部３０側に形成しており、前方保護部２０よりも後方保護部３０の方が、帯状部材１０ａ，１０ｂ，１０ｃの長手方向に対して略直角方向に延びる長さが長くなっている。そして、本実施の形態２では、後方保護部３０の長さが頭部の後頭部側及び左右の側頭部側に対応する長さ以上に形成されており、頭部の前頭部側に対応させる前頭保護部２１からなる前方保護部２０側において、その左右両側に後方保護部３０の長手方向の端部が接続し、後方保護部３０との接合が行われる構造となっている。
【０１１８】
つまり、本実施の形態２に係る前方保護部２０は、帯状部材１０ａ，１０ｂ，１０ｃの一端側にその長手方向に対して直角方向に配設する前頭保護部２１から形成され、一方、本実施の形態２に係る後方保護部３０は、帯状部材１０ａ，１０ｂ，１０ｃの他端側にその長手方向に対して直角方向に配設する後頭保護部２１と後頭保護部２１の左右の両側に延びる左右の側頭保護部２２Ｒ，２２Ｌとが連続的に形成されてなるものである。
【０１１９】
そして、本実施の形態２に係る頭部保護具１００では、前方保護部２０の表面（Ｆ）側において帯状部材１０ａ，１０ｂ，１０ｃの長手方向に対して直角な左右方向の両側に面ファスナ４１ａＲ、４１ａＬが取付けられ、また、後方保護部３０の裏面側において、帯状部材１０ａ，１０ｂ，１０ｃの長手方向に対して直角な左右方向の両側に、面ファスナ４１ａＲに対応する面ファスナ４１ｂＲ、面ファスナ４１ａＬに対応する面ファスナ４１ｂＬが取付けられている。つまり、前頭部保護部２１の長さ方向の左右両側に面ファスナ４１ａＲ、４１ａＬが取付けられ、また、後方保護部３０の長さ方向の左右両側の側頭保護部２２Ｒ，２２Ｌに面ファスナ４１ｂＲ、４１ｂＬが取付けられている。
【０１２０】
したがって、前方保護部２０の長手方向（左右方向）の両端部で表面（Ｆ）側に取付けた面ファスナ４１ａＲ，４１ａＬと、後方保護部３０の長手方向の両端部で裏面側に取付けた面ファスナ４１ｂＲ，４１ｂＬとを接合すると、前方保護部２０と後方保護部３０が接続する。即ち、後方保護部３０を構成する左右の側頭保護部２２Ｒ，２２Ｌの端部側で裏面側に設けた面ファスナ４１ｂＲ，４１ｂＬと、前方保護部２０の端部側で表面（Ｆ）側に設けた面ファスナ４１ａＲ，４１ａＬの接合により、後方保護部３０側に形成した左右の側頭保護部２２Ｒ，２２Ｌの端部側の裏面側と前方保護部２０の表面（Ｆ）側が対向するように前方保護部２０と後方保護部３０が重なり合い、前方保護部２０と後方保護部３０が環状に連続する。本実施の形態２では、図１４に示すように、後方保護部３０側に左右の側頭保護部２２Ｒ，２２Ｌが形成されており、後方保護部３０の長さが頭部の後頭部側及び左右の側頭部側に対応する長さ以上に形成されているから、前頭保護部２１からなる前方保護部２０の左右両側において、後方保護部３０の長さ方向の両端部が互いに近づくように内側に曲折されて、前方保護部２０の長さ方向の端部の表面（Ｆ）側と後方保護部３０の長さ方向の端部の裏面側が対向して接合される。これより、頭部の前頭部側で、前方保護部２０と後方保護部３０とが重複するから、頭部の前頭部側を重点的に保護したい場合に有利である。
【０１２１】
こうして、本実施の形態２に係る頭部保護具１００においても、頭頂保護部１０の面方向に対して略垂直な方向に位置させる後頭保護部３１及び左右の側頭保護部２２Ｒ，２２Ｌからなる後方保護部３０が、湾曲可能な程度に柔軟に形成したその長さ方向でＵ字状に湾曲してその両端側が近づくように内側に曲折され（湾曲され）、頭頂保護部１０の面方向に対して垂直な方向に位置した前頭保護部２１からなる前方保護部２０に接合することにより、頭頂保護部１０、前方保護部２０及び後方保護部３０で囲まれる空間、即ち、頭頂保護部１０、前方保護部２０及び後方保護部３０によって頭部が入れられる空間を形成し、頭部に被せる帽子状（ヘルメット状）の立体形状に組立てられる。
【０１２２】
このように、本実施の形態２の頭部保護具１００は、互いに長手方向を一致させた複数の帯状部材１０ａ，１０ｂ，１０ｃで形成され、装着対象である頭部の頭頂部側を保護する頭頂保護部１０と、頭頂保護部１０を形成する複数の帯状部材１０ａ，１０ｂ，１０ｃの長手方向の一端側に曲折自在に接続し、頭部の前方側を保護する前方保護部２０と、頭頂保護部１０を形成する複数の帯状部材１０ａ，１０ｂ，１０ｃの長手方向の他端側に曲折自在に接続し、頭部の後方側を保護する後方保護部３０と、後方保護部３０に形成され、頭頂保護部１０を形成する複数の帯状部材１０ａ，１０ｂ，１０ｃの長手方向に対して直角方向に配設する左右の側部としての側頭保護部２２Ｒ，２２Ｌと、複数の帯状部材１０ａ，１０ｂ，１０ｃの長手方向の両端部で曲折自在に接続した前方保護部２０及び後方保護部３０に取付けられ、前方保護部２０及び後方保護部３０を接合及び分離自在とし、かつ、前方保護部２０と後方保護部３０の接合位置を調節自在とする接合具としての１対の面ファスナ４１ａＲ，４１ａＬと面ファスナ４１ｂＲ，４１ｂＬとを具備し、前方保護部２０及び後方保護部３０を１対の面ファスナ４１ａＲ，４１ａＬと面ファスナ４１ｂで接合して立体的組立状態とし、接合した前方保護部２０及び後方保護部３０と、頭頂保護部１０を形成する複数の帯状部材１０ａ，１０ｂ，１０ｃの間に開口１３が形成されているものである。
【０１２３】
このような構成の本実施の形態２に係る頭部保護具１００では、上記実施の形態１よりも面ファスナの個数を１つだけ多くしているが、上記実施の形態１と同様の効果を得ることができる。
特に、頭部の前頭部側で１対の面ファスナ４１ａＲ，４１ａＬと面ファスナ４１ｂＲ，４１ｂＬの接合により前頭保護部２１と後方保護部３０が重ねられるから頭部の前頭部側の保護を重点的にできる。なお、１対の面ファスナ４１ａＲ，４１ａＬと面ファスナ４１ｂＲ，４１ｂＬの取付位置は上記説明と表裏を逆にしてもよいし、複数個に分けてもよい。
勿論、本実施の形態２においても、顎紐２５、耳紐２４Ｒ，２４Ｌ、鍔部２３を省略してもよいし、上記変形例のように両耳を覆って保護できる形態としてもよい。
【０１２４】
次に、本実施の形態３に係る頭部保護具について、図１５及び図１６を参照して説明する。
本実施の形態３においても、帯状部材１０ａ，１０ｂ，１０ｃからなる頭頂保護部１０の構成は上記実施の形態１，２と同じであるが、前方保護部２０及び後方保護部３０の構成が上記実施の形態１，２と相違する。具体的には、本実施の形態３では、頭部の右側頭部側及び左側頭部側に対応させる左右の側部としての側頭保護部２２Ｒ，２２Ｌを前方保護部２０側及び後方保護部３０側に分けて形成した点で相違する。ここでも、相違する点のみ説明する。
【０１２５】
図１５及び図１６に示したように、本実施の形態３に係る頭部保護具２００では、頭部の左右の側頭部側に対応させる左右の側頭保護部２２Ｒ，２２Ｌを前方保護部２０及び後方保護部３０側に分けて形成しており、前方保護部２０と後方保護部３０とで帯状部材１０ａ，１０ｂ，１０ｃの長手方向に対して略直角方向に延びる長さを同等に形成している。
【０１２６】
即ち、本実施の形態３では、頭部の右側頭部側に対応させる右側頭保護部２２Ｒが、前方保護部２０側に形成した前方右側部２２ＡＲと、後方保護部３０側に形成した後方右側部２２ＢＲとから構成され、頭部の左側頭部側に対応させる左側頭保護部２２Ｌが、前方保護部２０側に形成した前方左側部２２ＡＬと、後方保護部３０側に形成した後方左側部２２ＢＬとから構成されており、前方保護部２０側に形成した前方右側部２２ＡＲと後方保護部３０側に形成した後方右側部２２ＢＲとの両者で頭部の右側頭部側に対応させる長さとし、また、前方保護部２０側に形成した前方左側部２２ＡＬと後方保護部３０側に形成した後方左側部２２ＢＬとの両者で頭部の左側頭部側に対応させる長さとしている。
【０１２７】
そして、本実施の形態３に係る前方保護部２０は、帯状部材１０ａ，１０ｂ，１０ｃの一端側にその長手方向に対して直角方向に配設する前頭保護部２１と前頭保護部２１の左右の両側に延びる前方右側部２２ＡＲ及び前方左側部２２ＡＬとが連続的に形成されてなり、また、本実施の形態３に係る後方保護部３０は、帯状部材１０ａ，１０ｂ，１０ｃの他端側にその長手方向に対して直角方向に配設する後頭保護部２１と後頭保護部２１の左右の両側に延びる後方右側部２２ＢＲ及び後方左側部２２ＢＬとが連続的に形成されてなるものである。
【０１２８】
本実施の形態３に係る頭部保護具２００においても、前方保護部２０の表面（Ｆ）側において帯状部材１０ａ，１０ｂ，１０ｃの長手方向に対して直角な長さ方向の両側に面ファスナ４１ａＲ、４１ａＬが取付けられ、また、後方保護部３０の裏面側において、帯状部材１０ａ，１０ｂ，１０ｃの長手方向に対して直角な長さ方向の両側に、面ファスナ４１ａＲに対応する面ファスナ４１ｂＲ、面ファスナ４１ａＬに対応する面ファスナ４１ｂＬが取付けられている。つまり、前方保護部２０の長さ方向の左右両側の前方右側部２２ＡＲ，前方左側部２２ＡＬに面ファスナ４１ａＲ、面ファスナ４１ａＬが取付けられ、また、後方保護部３０の長さ方向の左右両側の後方右側部２２ＢＲ，後方左側部２２ＢＬに、面ファスナ４１ｂＲ，面ファスナ４１ｂＬが取付けられている。
【０１２９】
したがって、前方保護部２０の長手方向の両端部で表面（Ｆ）側に取付けた面ファスナ４１ａＲ，４１ａＬと、後方保護部３０の長手方向の両端部で裏面側に取付けた面ファスナ４１ｂＲ，４１ｂＬとを接合すると、前方保護部２０と後方保護部３０が環状に接続する。即ち、前方保護部２０を構成する左右の前方右側部２２ＡＲ，前方左側部２２ＡＬの端部側で表面（Ｆ）側に設けた面ファスナ４１ａＲ，４１ａＬと、後方保護部３０を構成する左右の後方右側部２２ＢＲ，後方左側部２２ＢＬの端部側で裏面側に設けた面ファスナ４１ｂＲ，４１ｂＬとの接合により、後方保護部３０側に形成した左右の後方右側部２２ＢＲ，後方左側部２２ＢＬの裏面側と、前方保護部２０側に形成した左右の前方右側部２２ＡＲ，前方左側部２２ＡＬの表面（Ｆ）側が対向するように前方保護部２０と後方保護部３０が重なり合い、前方保護部２０と後方保護部３０が環状に連続する。
【０１３０】
特に、本実施の形態３では、頭部の左右の側頭部側に対応させる左右の側頭保護部２２Ｒ，２２Ｌを前方保護部２０及び後方保護部３０側に分けて形成しており、頭部の側頭部側で前方保護部２０側及び後方保護部３０側が接続し接合する。即ち、前方保護部２０の長さ方向の一端側の前方右側部２２ＡＲの表面（Ｆ）側と、後方保護部３０の長さ方向の一端側の後方右側部２２ＢＲの裏面とが対向して接合され、また、前方保護部２０の長さ方向の一端側の前方左側部２２ＬＲの表面（Ｆ）側と、後方保護部３０の長さ方向の一端側の後方左側部２２ＢＬの裏面側とが対向して接合される。よって、図１６で示すように、頭部の右側頭部側で、前方右側部２２ＡＲ及び後方右側部２２ＢＲが重複し、また、頭部の左側頭部側で、前方左側部２２ＢＬ及び後方左側部２２ＢＬが重複するから、頭部の左右の側頭部側を重点的に保護したい場合に有利である。
【０１３１】
こうして、本実施の形態３に係る頭部保護具２００においても、頭頂保護部１０の面方向に対して垂直な方向に位置させる前頭保護部２１及び左右の前方右側部２２ＡＲ、前方左側部２２ＡＬからなる前方保護部２０が湾曲可能な程度に柔軟に形成したその長さ方向でＵ字状に湾曲し、また、頭頂保護部１０の面方向に対して略垂直な方向に位置させる後頭保護部３１及び左右の後方右側部２２ＢＲ、後方左側部２２ＢＬからなる後方保護部３０が湾曲可能な程度に柔軟に形成したその長さ方向でＵ字状に湾曲し、前方保護部２０側に形成した前方右側部２２ＡＲ、前方左側部２２ＡＬと、後方保護部３０側に形成した後方右側部２２ＢＲ、後方左側部２２ＢＬとを重ね合わせて接合することにより、頭頂保護部１０、前方保護部２０及び後方保護部３０で囲まれる空間、即ち、頭頂保護部１０、前方保護部２０及び後方保護部３０によって頭部が入れられる空間を形成し、頭部に被せる帽子状（ヘルメット状）の立体形状に組立てられる。
【０１３２】
また、本実施の形態３に係る頭部保護具２００では、前方保護部２０に形成した左右の各前方右側部２２ＡＲ、前方左側部２２ＡＬにおいて、頭部に装着した際に下方側であって耳の前方側に位置する部位）で幅広に形成した突出部分を設け、そこに顎紐２５を取付けている。この顎紐２５には、１対の面ファスナ２６ａ，２６ｂが取付けられ、それらの接合により、前方右側部２２ＡＲと前方左側部２２ＡＬ間を顎紐２５を架け渡して、装着者の顎に掛けることができるようになっている。なお、顎紐２５を左右の側頭保護部２２Ｒ，２２Ｌに取付けるための小径な左右のリング等を設けて顎紐２５を着脱自在な構成としてもよい。
【０１３３】
このように、本実施の形態３の頭部保護具２００は、互いに長手方向を一致させた複数の帯状部材１０ａ，１０ｂ，１０ｃで形成され、装着対象である頭部の頭頂部側を保護する頭頂保護部１０と、頭頂保護部１０を形成する複数の帯状部材１０ａ，１０ｂ，１０ｃの長手方向の一端側に曲折自在に接続し、頭部の前方側を保護する前方保護部２０と、頭頂保護部１０を形成する複数の帯状部材１０ａ，１０ｂ，１０ｃの長手方向の他端側に曲折自在に接続し、頭部の後方側を保護する後方保護部３０と、帯状部材１０ａ，１０ｂ，１０ｃの長手方向に対して直角方向に配設する前方保護部２０側に形成された前方右側部２２ＡＲ、前方左側部２２ＡＬ、及び、帯状部材１０ａ，１０ｂ，１０ｃの長手方向に対して直角方向に配設する後方保護部３０側に形成された後方右側部２２ＢＲ、後方左側部２２ＢＬから構成された左右の側部としての側頭保護部２２Ｒ，２２Ｌと、複数の帯状部材１０ａ，１０ｂ，１０ｃの長手方向の両端部で曲折自在に接続した前方保護部２０及び後方保護部３０に取付けられ、前方保護部２０及び後方保護部３０を接合及び分離自在とし、かつ、前方保護部２０と後方保護部３０の接合位置を調節自在とする接合具としての１対の面ファスナ４１ａＲ，４１ａＬと面ファスナ４１ｂＲ，４１ｂＬとを具備し、前方保護部２０及び後方保護部３０を１対の面ファスナ４１ａＲ，４１ａＬと面ファスナ４１ｂで接合して立体的組立状態とし、接合した前方保護部２０及び後方保護部３０と、頭頂保護部１０を形成する複数の帯状部材１０ａ，１０ｂ，１０ｃの間に開口１３が形成されているものである。
【０１３４】
このような構成の本実施の形態３に係る頭部保護具２００でも、上記実施の形態１よりも面ファスナの個数を１つだけ多くしているが、上記実施の形態１，２と同様の効果を得ることができる。なお、１対の面ファスナ４１ａＲ，４１ａＬと面ファスナ４１ｂＲ，４１ｂＬの取付位置は上記説明と表裏を逆にしてもよいし、複数に分けてもよい。
特に、頭部の側頭部側で、前方保護部２０及び後方保護部３０が重ねられるから側頭部側の保護を重点的にできる。
【０１３５】
なお、上記実施の形態３の説明では、帯状部材１０ａ，１０ｂ，１０ｃの長手方向に対して直角方向の前方保護部２０及び後方保護部３０の長さを同様にしているが、前方右側部２２ＡＲ及び後方左側部２２ＢＲから構成される右側頭保護部２２Ｒが、頭部の右側頭部側に対応する長さ以上であれば、前方右側部２２ＡＲと後方右側部２２ＢＲの長さの分配比は特に問われない。左側頭保護部２２Ｌを構成する前方左側部２２ＡＬと後方左側部２２ＢＬについても同様である。更に、左右対称にバランスさせなくともよい。
【０１３６】
また、本発明を実施する場合には、右側頭保護部２２Ｒまたは左側頭保護部２２Ｌのどちらか一方を前方保護部２０側に形成し、右側頭保護部２２Ｒまたは左側頭保護部２２Ｌのどちらか他方を後方保護部３０側に形成してもよく、頭部の前頭部側及び後頭部側で接合を行うようにしてもよい。更に、頭部の右側頭部側または左側頭部側で一方の接合を行うようにし、もう一方を頭部の前頭部側または後頭部側で接合するようにしてもよい。
【０１３７】
ところで、上記実施の形態１乃至実施の形態３では、前方保護部２０と後方保護部３０は、帯状部材１０ａ，１０ｂ，１０ｃの長手方向に対して直角方向の左右両側で、１対の面ファスナ４１ａＲ，４１ａＬと面ファスナ４１ｂ（４１ｂＲ，４１ｂＬ）によって接合及び分離自在であるが、本発明を実施する場合には、前方保護部２０の一端側と後方保護部３０の一端側のみ１対の面ファスナを取付け、その反対側で前方保護部２０と後方保護部３０が連続的に繋がっているカーブ状の形態とし、前方保護部２０と後方保護部３０の接合箇所を１箇所の設計としてもよい。この場合には、面ファスナの接合及びその解除操作が１箇所であるから、立体的な組立及びその展開の変換が簡単であり、操作性、取扱性が向上する。
【０１３８】
また、上記実施の形態１乃至実施の形態３では、前方保護部２０と頭頂保護部１０とが略Ｔ字状に一体に接続され、また、後方保護部３０と頭頂保護部１０も略Ｔ字状に一体に接続されている形態であるが、本発明を実施する場合には、前方保護部２０や後方保護部３０が略コ字状または略Ｕ字状に形成されていてもよい。この場合には、立体的な組立状態で、環状に接続した後方保護部３０と前方保護部２０が下端側に向かって拡径するから、日除け機能の付加を可能とする。
【０１３９】
更に、上記実施の形態１乃至実施の形態３の説明では、頭部保護部１０を形成する帯状部材１０ａ，１０ｂ，１０ｃを３本としていたが、本発明を実施する場合には、頭部保護部１０を形成する帯状部材の本数は２以上であれば良い。また、頭頂保護部１０の帯状部材の相互間の開口１２は、例えば、２つの帯状部材で頭頂保護部１０が形成される場合、２つの帯状部材間の開口１２は１つであり、３つの帯状部材で頭頂保護部１０が形成される場合、３つの帯状部材間の開口１２は２つであり、４つの帯状部材で頭頂保護部１０が形成される場合、４つの帯状部材間の開口１２は３つである。そして、これら帯状部材間の開口１２も、帯状部材の長さ方向に延びている。
また、前方保護部２０や後方保護部３０の形状についても、上記説明に限定されるものではない。例えば、前方保護部２０の長さ方向で幅を統一した直線形状としてもよいし、後方保護部３０についても長方形状等としてもよい。
【０１４０】
更にまた、本発明を実施する場合には、前方保護部２０及び後方保護部３０の接続は、面ファスナの接合に限定されることなく、例えば、ドット釦、ホック、ボタン及びループ、バックル等を使用してもよい。しかし、面ファスナであれば、転倒等したときでも頭を圧迫して怪我をさせるようなこともなく、安全性が高い。また、接合及びその解除の操作も極めて容易である。更に、１つの大きな面ファスナであれば、複数個取付けなくとも、接合位置が無段階で調節でき、接合具の取付けも容易である。
【０１４１】
なお、このような接合具の取付けは、上記の実施の形態１乃至実施の形態３での説明のように、前方保護部２０及び後方保護部３０の表裏面に取付けて、前方保護部２０及び後方保護部３０の厚みを重複させて接合させる形態であってもよいし、最大のサイズでは前方保護部２００及び後方保護部３０の厚みを重複させることなく前方保護部２０及び後方保護部３０の端縁同士を接合する形態であってもよい。
【０１４２】
上記実施の形態１乃至実施の形態３に係る頭部保護具１，１００，２００は、病気や身体に障害のある者の頭部保護用に限定されることなく、日常生活で頭部を損傷する可能性のある歩き始めの乳児の頭部を保護するものとして、或いは、スポーツ、競技時に頭部を保護するものとして適用することも可能である。
【符号の説明】
【０１４３】
１、１００、２００  頭部保護具
１０  頭頂保護部
１０ａ，１０ｂ，１０ｃ  帯状部材
１２  開口
１３  開口
２０  前方保護部
２１  前頭保護部
２２Ｒ，２２Ｌ  側頭保護部
３０  後方保護部
３１  後頭保護部
４１ａＲ，４１ａＬ  面ファスナ（接合具）
４１ｂ，４１ｂＲ，４１ｂＬ  面ファスナ（接合具）
Ａ    緩衝材
Ｂ    外装生地
【図１】
2018178272.tif 000003
【図２】
2018178272.tif 000004
【図３】
2018178272.tif 000005
【図４】
2018178272.tif 000006
【図５】
2018178272.tif 000007
【図６】
2018178272.tif 000008
【図７】
2018178272.tif 000009
【図８】
2018178272.tif 000010
【図９】
2018178272.tif 000011
【図１０】
2018178272.tif 000012
【図１１】
2018178272.tif 000013
【図１２】
2018178272.tif 000014
【図１３】
2018178272.tif 000015
【図１４】
2018178272.tif 000016
【図１５】
2018178272.tif 000017
【図１６】
2018178272.tif 000018